(57)【要約】 【課題】光変調素子を確実に冷却することができるとともに、設置姿勢によらず、鮮明な投射画像を形成することができる光学装置及びこの光学装置を備えたプロジェクタを提供すること。【解決手段】光学装置４４は、メインタンク内の流体を、流体圧送部により送出し、複数の流体循環部材４４８及び中継タンク５を介して、液晶パネル４４１等に送り、液晶パネル４４１等を冷却する構造となっている。中継タンク５は、冷却流体が蓄積されるタンク本体５１と、タンク本体５１内に冷却流体を流入させるための冷却流体流入部５２と、タンク本体５１内から冷却流体を排出させるための冷却流体排出部５３とを備えている。中継タンク５は、冷却流体流入部５２、冷却流体排出部５３がそれぞれ流体循環部材４４８に軸支されており、冷却流体流入部５２、冷却流体排出部５３を結ぶ軸線を回転軸として回転可能に配設されている。【選択図】 図７
2006154723.tif 000002
【特許請求の範囲】
【請求項１】
光源から射出された光束を画像情報に応じて変調して光学像を形成する光変調素子を含んで構成される光学装置であって、
内部に冷却流体が封入されるとともに、光変調素子の画像形成領域に対して対向配置された冷却室が形成されており、前記冷却室内の冷却流体に対して、熱伝導可能に前記光変調素子を保持する光変調素子保持体と、
前記冷却流体を蓄積するとともに、冷却流体の荷重がかかる方向と略直交する軸線上に冷却流体流入部及び冷却流体排出部を有する冷却流体蓄積部と、
前記光変調素子保持体の前記冷却室に連通し、前記冷却流体蓄積部に蓄積された前記冷却流体を前記冷却流体排出部から前記冷却室に案内するとともに、前記冷却室から排出される冷却流体を前記冷却流体蓄積部の前記冷却流体流入部に案内する流体循環部材と、
前記流体循環部材における冷却流体の流路中に配置され、前記冷却流体を、前記流体循環部材を介して強制的に循環させる流体圧送部とを備え、
前記冷却流体蓄積部内部には、前記冷却流体を流通させるとともに、冷却流体中の気泡の通過を遮断する複数の孔を有する気泡捕捉手段が配置されるとともに、蓄積された流体の液面の鉛直方向上側に前記気泡捕捉手段で捕捉した気泡を蓄積する気泡蓄積部が形成されており、
前記冷却流体蓄積部は、前記軸線を回転軸として回転可能に配設されていることを特徴とする光学装置。
【請求項２】
請求項１に記載の光学装置において、
前記冷却流体蓄積部の重心は、前記回転軸よりも鉛直方向下側に位置することを特徴とする光学装置。
【請求項３】
請求項１または請求項２に記載の光学装置において、
前記気泡捕捉手段は、固定部材を介して、前記冷却流体流入部および前記冷却流体排出部のうち少なくとも何れか一方に取り付けられ、
前記固定部材には、前記気泡捕捉手段にて捕捉された気泡を前記気泡蓄積部に向けて排出する排出孔が形成されていることを特徴とする光学装置。
【請求項４】
請求項３に記載の光学装置において、
前記気泡捕捉手段は、前記固定部材を介して、前記冷却流体流入部および前記冷却流体排出部にそれぞれ取り付けられていることを特徴とする光学装置。
【請求項５】
請求項３または請求項４に記載の光学装置において、
前記固定部材は、
前記軸線を回転軸として、前記冷却流体蓄積部とともに回転されるように取り付けられ、
前記気泡捕捉手段の冷却流体流入側に延び、冷却流体を前記気泡捕捉手段に案内する第１筒状部と、前記気泡捕捉手段の冷却流体流出側に延びる第２筒状部とから構成され、
前記気泡捕捉手段は、冷却流体に含まれる気泡を捕捉する気泡捕捉面が鉛直方向と略平行となるように、前記気泡捕捉手段の外縁部が前記第１筒状部および前記第２筒状部に挟持固定され、
前記排出孔は、前記第１筒状部の鉛直方向上側に少なくとも１つ形成されていることを特徴とする光学装置。
【請求項６】
請求項５に記載の光学装置において、
前記排出孔は、前記第２筒状部の鉛直方向上側に少なくとも１つ形成されていることを特徴とする光学装置。
【請求項７】
請求項３または請求項４に記載の光学装置において、
前記冷却流体排出部および冷却流体流入部は、前記循環部材に固定され、
前記固定部材は、
前記冷却流体排出部および冷却流体流入部の少なくとも何れか一方に固定され、
前記気泡捕捉手段の冷却流体流入側に延び、冷却流体を前記気泡捕捉手段に案内する第１筒状部と、前記気泡捕捉手段の冷却流体流出側に延びる第２筒状部とから構成され、
前記気泡捕捉手段は、冷却流体に含まれる気泡を捕捉する気泡捕捉面が鉛直方向と略平行となるように、前記気泡捕捉手段の外縁部が前記第１筒状部および前記第２筒状部に挟持固定され、
前記排出孔は、前記第１筒状部の鉛直方向上側および鉛直方向下側に少なくとも１つずつ形成されていることを特徴とする光学装置。
【請求項８】
請求項７に記載の光学装置において、
前記排出孔は、前記第２筒状部の鉛直方向下側に少なくとも１つ形成されていることを特徴とする光学装置。
【請求項９】
請求項１から８の何れかに記載の光学装置において、
前記冷却流体蓄積部の前記気泡蓄積部近傍には、前記気泡蓄積部と、前記冷却流体蓄積部外部とを連通可能とする開放弁が設けられていることを特徴とする光学装置。
【請求項１０】
請求項９に記載の光学装置において、
前記開放弁は、前記気泡蓄積部と前記冷却流体蓄積部の外部とを連通する連通路を開放する開放状態、及び前記連通路を閉塞する閉塞状態を切り換え、
前記開放弁による切り換えが、前記気泡蓄積部の内部が前記冷却流体蓄積部の外部に対して負圧状態である場合に前記開放状態とし、前記気泡蓄積部の内部が前記冷却流体蓄積部の外部に対して負圧状態でない場合に前記閉塞状態とすることを特徴とする光学装置。
【請求項１１】
請求項１から１０の何れかに記載の光学装置において、
前記冷却流体蓄積部の前記気泡蓄積部近傍には、前記気泡蓄積部及び冷却流体蓄積部の外部の双方に連通する連通路が形成されていることを特徴とする光学装置。
【請求項１２】
請求項１１に記載の光学装置において、
前記連通路は、蛇行していることを特徴とする光学装置。
【請求項１３】
請求項１から１２の何れかに記載の光学装置において、
前記冷却流体蓄積部内部の前記冷却流体と、気泡蓄積部との境界部分には、気泡蓄積部への冷却流体の通過を阻止し、気体の通過を可能とする気液分離膜が配置されていることを特徴とする光学装置。
【請求項１４】
請求項１３に記載の光学装置において、
前記気液分離膜は撓んだ状態で配置されていることを特徴とする光学装置。
【請求項１５】
請求項１３または請求項１４に記載の光学装置において、
前記冷却流体蓄積部には、前記気液分離膜を鉛直方向に沿って上下させるスライド機構が設けられていることを特徴とする光学装置。
【請求項１６】
請求項１から１５の何れかに記載の光学装置において、
当該光学装置を所定の姿勢で設置した際に、冷却流体の荷重がかかる方向を鉛直方向下側、前記荷重がかかる方向と逆方向を鉛直方向上側とした場合に、
冷却流体は、前記冷却室内部を前記鉛直方向下側から前記鉛直方向上側へ向かって流通することを特徴とする光学装置。
【請求項１７】
光源装置と、この光源装置から射出された光束を画像情報に応じて変調して光学像を形成する光変調素子を含んで構成される請求項１から請求項１５の何れかに記載の光学装置と、前記光学装置にて形成された光学像を拡大投射する投射光学装置とを備えることを特徴とするプロジェクタ。
【請求項１８】
請求項１７に記載のプロジェクタにおいて、
前記流体循環部材は、冷却流体が前記冷却室内部を鉛直方向下側から上側に流通するように接続され、
当該プロジェクタの姿勢を検出する姿勢検出部と、
前記流体圧送部を駆動制御する圧送駆動制御部とを備え、
当該圧送駆動制御部は、前記姿勢検出部により検出された当該プロジェクタの姿勢に応じて、前記流体圧送部を駆動制御して冷却流体の流通方向を切り換え、冷却室内部の冷却流体を、当該プロジェクタ自体の自重がかかる方向である下側から、前記自重がかかる方向と逆方向である上側へ流通させることを特徴とするプロジェクタ。
【発明の詳細な説明】
【技術分野】
【０００１】
本発明は、光学装置及びプロジェクタに関する。
【背景技術】
【０００２】
従来、光源から射出された光束を画像情報に応じて変調して光学像を形成する複数の光変調素子と、各光変調素子で変調された光束を合成して射出する色合成光学装置と、色合成光学装置にて合成された光束を拡大投射する投射光学装置とを備えるプロジェクタが知られている。
このうち、光変調素子には、例えば、１対の基板間に液晶等の電気光学材料が密閉封入されたアクティブマトリックス駆動方式の液晶パネルが使用される。具体的には、この光変調素子を構成する１対の基板は、液晶に駆動電圧を印加するためのデータ線、走査線、スイッチング素子、画素電極等が形成され、光束射出側に配置された駆動基板と、光束入射側に配置され、共通電極、ブラックマスク等が形成された対向基板とで構成されている。
ここで、光源から射出された光束が光変調素子に照射された場合には、液晶層による光吸収とともに、駆動基板に形成されたデータ線および走査線や、対向基板に形成されたブラックマトリックス等による光吸収により、光変調素子の温度が上昇しやすい。
【０００３】
このため、光学装置では、光変調素子の温度上昇を緩和するために、冷却流体を用いて光変調素子を冷却する構成が提案されている（例えば、特許文献１参照）。
特許文献１に記載の光学装置では、光変調素子保持体に冷却流体を密閉する冷却室を形成している。そして、この冷却室は、光変調素子に隣接し、光変調素子の光束透過面に対向して設けられているため、光変調素子の熱を冷却室内の冷却液により冷却することができる。
【０００４】
【特許文献１】特開２００３−１９５２５４号公報（第８頁、図４）
【発明の開示】
【発明が解決しようとする課題】
【０００５】
しかしながら、特許文献１に記載の光学装置では、冷却室内に冷却流体が密閉封入されているので、発熱した光変調素子により冷却流体が温められやすく、温められた冷却流体が冷却室内に滞留してしまう。したがって、光変調素子と冷却流体との温度差が小さくなり、光変調素子を効率的に冷却することが困難であるという問題がある。
また、このような光学装置において、冷却流体中の気泡を除去するために、光変調素子保持体の冷却室の上部に、冷却室と連通する気泡溜め用サライを設けているが、天吊等により、プロジェクタの姿勢を上下さかさまに設置した場合には、気泡止め用サライが下方に位置することとなるため、気泡止め用サライに気泡が収まらなくなり、冷却室内に気泡が混入することとなる。そして、光束が気泡により散乱され、鮮明な投射画像を形成することができなくなる可能性がある。
【０００６】
本発明の目的は、光変調素子を確実に冷却することができるとともに、設置姿勢によらず、鮮明な投射画像を形成することができる光学装置及びこの光学装置を備えたプロジェクタを提供することである。
【課題を解決するための手段】
【０００７】
本発明の光学装置は、光源から射出された光束を画像情報に応じて変調して光学像を形成する光変調素子を含んで構成される光学装置であって、内部に冷却流体が封入されるとともに、光変調素子の画像形成領域に対して対向配置された冷却室が形成されており、前記冷却室内の冷却流体に対して、熱伝導可能に前記光変調素子を保持する光変調素子保持体と、前記冷却流体を蓄積するとともに、冷却流体の荷重がかかる方向と略直交する軸線上に冷却流体流入部及び冷却流体排出部を有する冷却流体蓄積部と、前記光変調素子保持体の前記冷却室に連通し、前記冷却流体蓄積部に蓄積された前記冷却流体を前記冷却流体排出部から前記冷却室に案内するとともに、前記冷却室から排出される冷却流体を前記冷却流体蓄積部の前記冷却流体流入部に案内する流体循環部材と、前記流体循環部材における冷却流体の流路中に配置され、前記冷却流体を、前記流体循環部材を介して強制的に循環させる流体圧送部とを備え、前記冷却流体蓄積部内部には、前記冷却流体を流通させるとともに、冷却流体中の気泡の通過を遮断する複数の孔を有する気泡捕捉手段が配置されるとともに、蓄積された流体の液面の鉛直方向上側に前記気泡捕捉手段で捕捉した気泡を蓄積する気泡蓄積部が形成されており、前記冷却流体蓄積部は、前記軸線を回転軸として回転可能に配設されていることを特徴とする光学装置。
【０００８】
ここで、気泡捕捉手段としては、複数の孔が形成された平板状のフィルタや、複数の孔を有する樹脂製のスポンジフォーム等が例示できる。
また、気泡捕捉手段の孔の径は、例えば、５μｍ以上、２０μｍ以下であることが好ましい。５μｍよりも孔の径を小さくすると冷却流体がスムーズに透過しない虞がある。
また、２０μｍを超えるものとすると、大きな径の気泡が通過してしまう虞がある。
【０００９】
このような本発明では、光変調素子保持体の冷却室に連通し、冷却流体蓄積部に蓄積された冷却流体を冷却流体排出部から冷却室に案内するとともに、冷却室から排出される冷却流体を冷却流体蓄積部の冷却流体流入部に案内する流体循環部材を備えており、光変調素子保持体の冷却室内の冷却流体を循環させているため、冷却室内に冷却流体を密封させておく場合に比べ、冷却流体が暖められにくく、光変調素子を確実に冷却することができる。
【００１０】
さらに、冷却流体が蓄積される冷却流体蓄積部は、冷却流体中の気泡の通過を防止する気泡捕捉手段を備えているので、冷却流体蓄積部から排出される冷却流体中には、気泡がほとんど残らない。従って、光変調素子保持体の冷却室内に気泡が入り込んでしまうことを防止することができ、光学装置で形成した光学像を投射した場合に、鮮明な投射画像を形成することができる。
なお、気泡捕捉手段を通過することができなかった気泡は、気泡捕捉手段近傍に停滞し、小さな気泡同士が集まって大きな気泡となり浮力によって冷却流体中を上昇する。そして、気泡蓄積部に蓄積される。
【００１１】
また、本発明では、冷却流体蓄積部中に冷却流体中の気泡の透過を防止する複数の孔を備えた気泡捕捉手段が配置されている。この気泡捕捉手段の孔は、径が非常に小さなものとなるので、冷却流体中にごみが混入していた場合であっても、気泡捕捉手段によりごみの通過を防止することができる。
従って、冷却流体蓄積部から、光変調素子保持体の冷却部にごみが排出されてしまうのを防止することができる。
また、本発明では、冷却流体蓄積部は、冷却流体流入部及び冷却流体排出部を結ぶ軸線を回転軸として回転可能に配設されている。従って、光学装置の設置姿勢を上下さかさまにする際に、冷却流体蓄積部を流体循環部材に対して回転させることで、冷却流体蓄積部の姿勢を一定に保つことができる。光学装置の設置姿勢によらず、冷却流体蓄積部の姿勢が一定であるため、光学装置の設置姿勢を上下さかさまにした場合であっても、気泡蓄積部の気体が冷却流体蓄積部中の冷却流体中に混入してしまうことがない。従って、光学装置の姿勢によらず、常に鮮明な投射画像を確実に形成することができる。
【００１２】
本発明の光学装置において、前記冷却流体蓄積部の重心は、前記回転軸よりも鉛直方向下側に位置することが好ましい。
このような本発明によれば、冷却流体蓄積部の重心が回転軸よりも鉛直方向下側に位置するので、光学装置の設置姿勢を上下さかさまにする際に、冷却流体蓄積部は、重力によって、流体循環部材に対して回転し、常に同じ姿勢となる。
このように、冷却流体蓄積部の重心を回転軸よりも鉛直方向下側に位置させることで、重力により、流体循環部材に対して、冷却流体蓄積部を回転させることができるので、例えば、モータ等の電気的な力を使用して冷却流体蓄積部を回転させる場合に比べ、省エネルギーを図ることができる。
【００１３】
本発明の光学装置において、前記気泡捕捉手段は、固定部材を介して、前記冷却流体流入部および前記冷却流体排出部のうち少なくとも何れか一方に取り付けられ、前記固定部材には、前記気泡捕捉手段にて捕捉された気泡を前記気泡蓄積部に向けて排出する排出孔が形成されていることが好ましい。
【００１４】
この本発明によれば、固定部材には、気泡捕捉手段に対し冷却流体流入側の鉛直方向上側に、前記気泡捕捉手段にて捕捉された気泡を前記気泡蓄積部に向けて排出する排出孔が形成されている。すなわち、気泡捕捉手段の冷却流体流入側で捕捉され、浮力により上昇する気泡は、この排出孔を介してスムースに排出し、気泡蓄積部に蓄積することができる。従って、気泡が冷却流体中に長い間停滞することがなく、冷却流体蓄積部から冷却室に対して気泡が排出されることを確実に防止することができる。さらに、光学装置で形成した光学像を投射した場合にあっては、鮮明な投射画像を形成することができる。
【００１５】
本発明の光学装置において、前記気泡捕捉手段は、前記固定部材を介して、前記冷却流体流入部および前記冷却流体排出部にそれぞれ取り付けられていることを特徴とする。
このような構成によれば、冷却流体蓄積部に流入される冷却流体、および、冷却流体蓄積部に流入される冷却流体のいずれに対しても、気泡捕捉手段により、これら冷却流体中に含まれる気泡が捕捉されることができる。従って、流体循環部材を介して、冷却流体蓄積部から流体圧送部へ流入される冷却流体に含まれる気泡も低減させることができるので、気泡によって引き起こされる圧送効率の低下や流体圧送部の故障等を防ぐことができる。
【００１６】
本発明の光学装置において、前記固定部材は、前記軸線を回転軸として、前記冷却流体蓄積部とともに回転されるように取り付けられ、前記気泡捕捉手段の冷却流体流入側に延び、冷却流体を前記気泡捕捉手段に案内する第１筒状部と、前記気泡捕捉手段の冷却流体流出側に延びる第２筒状部とから構成され、前記気泡捕捉手段は、冷却流体に含まれる気泡を捕捉する気泡捕捉面が鉛直方向と略平行となるように、前記気泡捕捉手段の外縁部が前記第１筒状部および前記第２筒状部に挟持固定され、前記排出孔は、前記第１筒状部の鉛直方向上側に少なくとも１つ形成されていることが好ましい。
【００１７】
本発明によれば、固定部材は、冷却流体流入部及び冷却流体排出部を結ぶ軸線を回転軸として、冷却流体蓄積部とともに回転を行う。すなわち、固定部材は、前述した冷却流体蓄積部と同様に、光学装置の姿勢によらず一定の姿勢を保つ。
さらに、気泡捕捉手段は、気泡捕捉面が鉛直方向と略平行となるように固定されている。すなわち、冷却流体は、鉛直方向に対し略直交する方向に気泡捕捉手段を通過し、気泡捕捉面は、気泡捕捉手段の冷却流体流入側面に形成されている。
【００１８】
本発明では、排出孔は、固定部材の前記第１筒状部の鉛直方向上側に少なくとも１つ形成されている。ここで、光学装置が上下逆さまの姿勢に設置されても、固定部材の姿勢は変わらない。すなわち、固定部材には、光学装置の姿勢によらず、気泡捕捉手段に対し冷却流体流入側の鉛直方向上側には排出孔が形成されている。これにより、気泡捕捉面で捕捉された気泡は、この排出孔を介して排出することができる。
従って、光学装置に姿勢によらず、気泡捕捉手段に捕捉された気泡を、排出孔を介してスムースに排出し、気泡蓄積部に蓄積することができる。
また、当該排出孔は、前記第１筒状部の鉛直方向上側に少なくとも１つ形成されていればよいので、固定部材に形成する排出孔の数を最小限に抑えることができる。
【００１９】
本発明の光学装置において、前記排出孔は、前記第２筒状部の鉛直方向上側に少なくとも１つ形成されていることが好ましい。
本発明によれば、固定部材には、気泡捕捉手段に対し冷却流体流側および冷却流体流出側の鉛直方向上側に、排出孔が少なくとも１つずつ形成されている。
所定の姿勢で設置された当該光学装置において、冷却流体が流通される方向を所定の方向とし、この所定の方向とは反対の流通方向を逆の方向とする。
【００２０】
固定部材の姿勢は、前述したように、光学装置の姿勢によらず一定であるため、当該光学装置を上下逆さまの姿勢で設置しても、固定部材における排出孔の位置は変わらない。このため、当該光学装置において冷却流体が逆の方向に流通されても、固定部材には、気泡捕捉手段に対し冷却流体流入側の鉛直方向上側には排出孔が形成されていることになる。
従って、本発明の光学装置は、当該光学装置を上下逆さまの姿勢で設置し、さらに、冷却流体を逆の方向に流通させた場合でも、気泡捕捉手段に捕捉された気泡を、この排出孔を介してスムースに排出し気泡蓄積部に蓄積することができる。
【００２１】
本発明の光学装置において、前記冷却流体排出部および冷却流体流入部は、前記循環部材に固定され、前記固定部材は、前記冷却流体排出部および冷却流体流入部の少なくとも何れか一方に固定され、前記気泡捕捉手段の冷却流体流入側に延び、冷却流体を前記気泡捕捉手段に案内する第１筒状部と、前記気泡捕捉手段の冷却流体流出側に延びる第２筒状部とから構成され、前記気泡捕捉手段は、冷却流体に含まれる気泡を捕捉する気泡捕捉面が鉛直方向と略平行となるように、前記気泡捕捉手段の外縁部が前記第１筒状部および前記第２筒状部に挟持固定され、前記排出孔は、前記第１筒状部の鉛直方向上側および鉛直方向下側に少なくとも１つずつ形成されていることが好ましい。
【００２２】
この本発明によれば、流体循環部材と冷却流体排出部および冷却流体流入部、および、固定部材と冷却流体排出部および冷却流体流入部は、それぞれ固定された構成であることから、これら各固定部の構成は、回転可能な構成と比べ簡易にすることができる。
また、固定部材は、冷却流体排出部および冷却流体流入部を介して流体循環部材に固定されていることから、光学装置が上下逆さまの姿勢で設置されると、当該光学装置とともに、上下逆さまの姿勢となる。
【００２３】
ここで、本発明では、光学装置が所定の姿勢で設置されているときに第１筒状部の鉛直方向下側に排出孔が形成されていることから、光学装置を上下逆さまの姿勢で設置すると、前記排出孔は、第１筒状部の鉛直方向上側に位置することとなる。すなわち、本発明の光学装置を上下逆さまの姿勢で設置すると、前記排出孔は、固定部材において気泡捕捉手段に対し冷却流体流入側の鉛直方向上側に位置することとなる。
従って、本発明の光学装置は、当該光学装置が所定の姿勢で設置された場合、上下逆さまの姿勢で設置された場合のいずれにおいても、気泡捕捉手段に捕捉された気泡を、この排出孔を介してスムースに排出し、気泡蓄積部に蓄積することができる。
【００２４】
本発明の光学装置において、前記排出孔は、前記第２筒状部の鉛直方向下側に少なくとも１つ形成されていることが好ましい。
【００２５】
ここで、光学装置が所定の姿勢で設置された際に、冷却流体が流体循環部材を流通する方向を所定の方向とし、当該所定の方向とは反対の流通方向を逆の方向とする。
本発明では、光学装置が所定の姿勢で設置されているときに第２筒状部の鉛直方向下側に排出孔が形成されていることから、光学装置を上下逆さまの姿勢で設置すると、固定部材には、第２筒状部の鉛直方向上側に排出孔が形成されていることとなる。すなわち、当該光学装置において冷却流体を逆の方向に流通させると、固定部材には、気泡捕捉手段を通過する冷却流体流入側の鉛直方向上側に排出孔が形成されていることになる。
従って、本発明の光学装置が所定の姿勢で設置された場合、または、上下逆さまの姿勢で設置され、かつ、流体循環部材を循環する冷却流体が所定の方向と逆の方向に流通された場合のいずれにおいても、気泡捕捉手段に捕捉された気泡を、この排出孔を介してスムースに排出し、気泡蓄積部に蓄積することができる。
【００２６】
本発明の光学装置において、前記冷却流体蓄積部の前記気泡蓄積部近傍には、前記気泡蓄積部と、前記冷却流体蓄積部外部とを連通可能とする開放弁が設けられていることが好ましい。
本発明の光学装置では、冷却流体蓄積部を流れる冷却流体の流れが急激に速くなった場合には、気泡蓄積部に負圧が発生することがある。負圧が発生すると、気泡蓄積部中の気体が冷却流体内に入り込んでしまう虞がある。
これに対し、本発明によれば、前記気泡蓄積部と、前記冷却流体蓄積部外部とを連通可能とする開放弁が設けられているので、開放弁を開放し、気泡蓄積部と冷却流体蓄積部外部とを連通させることで気泡蓄積部の圧力を調整することができる。
これにより、気泡蓄積部中の気体が冷却流体中に入り込んでしまうのを防止することができる。
【００２７】
本発明の光学装置において、前記開放弁は、前記気泡蓄積部と前記冷却流体蓄積部の外部とを連通する連通路を開放する開放状態、及び前記連通路を閉塞する閉塞状態を切り換え、前記開放弁による切り換えが、前記気泡蓄積部の内部が前記冷却流体蓄積部の外部に対して負圧状態である場合に前記開放状態とし、前記気泡蓄積部の内部が前記冷却流体蓄積部の外部に対して負圧状態でない場合に前記閉塞状態とすることが好ましい。
【００２８】
この本発明によれば、開放弁による切り換えが、気泡蓄積部の内部が冷却流体蓄積部の外部に対して負圧状態である場合に開放状態（気泡蓄積部と冷却流体蓄積部の外部とを連通する連通路を開放する状態）とし、気泡蓄積部の内部が冷却流体蓄積部の外部に対して負圧状態でない場合に閉塞状態となるため、気泡蓄積部の圧力を冷却流体蓄積部外部の圧力と略等しい状態となることをより確実に実行することができ、前記した効果をより好適に奏することができる。
【００２９】
本発明の光学装置において、前記冷却流体蓄積部の前記気泡蓄積部近傍には、前記気泡蓄積部及び冷却流体蓄積部の外部の双方に連通する連通路が形成されているものであってもよい。
このような本発明では、冷却流体蓄積部外部と、気泡蓄積部とを連通する連通路が形成されているので、常に、気泡蓄積部の圧力を冷却流体蓄積部外部の圧力と略等しいものとすることができる。
このように、気泡蓄積部の圧力を冷却流体蓄積部外部の圧力と略等しくすることで、気泡蓄積部での負圧の発生を防止することができるので、気泡蓄積部中の気泡が冷却流体中に混入してしまうのを防止することができる。
さらに、この際、前記連通路は、蛇行していることが好ましい。
このような本発明によれば、連通路は、蛇行して形成されているので、連通路の距離が非常に長いものとなり、万が一、冷却流体が連通路内に入ってしまうことがあっても、連通路から流体蓄積部外部に冷却流体が排出されてしまうことがない。
【００３０】
本発明では、前記冷却流体蓄積部内部の前記冷却流体と、気泡蓄積部との境界部分には、気泡蓄積部への冷却流体の通過を阻止し、気体の通過を可能とする気液分離膜が配置されていることが好ましい。
このような本発明によれば、冷却流体蓄積部内部の前記冷却流体と、気泡蓄積部との境界部分に、冷却流体の通過を阻止し、気体の通過を可能とする気液分離膜が配置されているので、気泡捕捉手段により、通過不能とされた気泡を、気液分離膜を介して気泡蓄積部に排出することができる。
【００３１】
さらに、本発明では、前記気液分離膜は撓んだ状態で配置されていることが好ましい。
このような本発明によれば、気液分離膜を撓んだ状態で配置することで、冷却流体蓄積部内部の冷却流体の量の変動に対応することができる。すなわち、冷却流体蓄積部中の冷却流体の量が少ない場合には、気液分離膜は下方に撓んだ状態となり、冷却流体の量が多い場合には、上方に撓んだ状態となる。
さらに、前記気液分離膜は撓んだ状態で配置されているので、気泡蓄積部の圧力の変動に応じて、気液分離膜を変形させることができ、気泡蓄積部の圧力変動に対応することができる。
【００３２】
また、本発明では、前記冷却流体蓄積部には、前記気液分離膜を鉛直方向に沿って上下するスライド機構が設けられているものであってもよい。
このような本発明によれば、冷却流体蓄積部に気液分離膜を鉛直方向にそって上下するスライド機構を設けることで、冷却流体蓄積部内部の冷却流体の量の変動に対応することができる。
さらに、スライド機構により、気液分離膜をスライドさせることで、気泡蓄積部の圧力を調整することができる。
【００３３】
本発明の光学装置において、当該光学装置を所定の姿勢で設置した際に、冷却流体の荷重がかかる方向を鉛直方向下側、前記荷重がかかる方向と逆方向を鉛直方向上側とした場合に、冷却流体は、前記冷却室内部を前記鉛直方向下側から前記鉛直方向上側へ向かって流通することが好ましい。
この本発明によれば、冷却室内部を流通する冷却流体は、鉛直方向下側から上側へ向かって流通している。冷却室内部において、光変調素子からの熱によって加熱された冷却流体は上側に移動するが、この移動方向が、冷却流体の流通方向と同方向であるため、冷却室内で冷却流体の対流が生じることはない。これにより、冷却室内部の冷却流体は、光変調素子からの熱を効率よく冷却することができる。
【００３４】
本発明のプロジェクタは、光源装置と、この光源装置から射出された光束を画像情報に応じて変調して光学像を形成する光変調素子を含んで構成される上述した何れかの光学装置と、前記光学装置にて形成された光学像を拡大投射する投射光学装置とを備えることを特徴とする。
このようなプロジェクタによれば、上述した何れかの光学装置を備えているため、光学装置と同様の効果を奏することができる。
【００３５】
本発明のプロジェクタにおいて、前記流体循環部材は、冷却流体が前記冷却室内部を鉛直方向下側から上側に流通するように接続され、当該プロジェクタの姿勢を検出する姿勢検出部と、前記流体圧送部を駆動制御する圧送駆動制御部とを備え、当該圧送駆動制御部は、前記姿勢検出部により検出された当該プロジェクタの姿勢に応じて、前記流体圧送部を駆動制御して冷却流体の流通方向を切り換え、冷却室内部の冷却流体を、当該プロジェクタ自体の自重がかかる方向から前記自重がかかる方向と逆方向側へ流通させることが好ましい。
【００３６】
この本発明によれば、姿勢検出部がプロジェクタの姿勢状態を検出すると、圧送駆動制御部は、姿勢検出部により検出された姿勢に応じて、冷却流体が冷却室内部を鉛直方向下側から上側へ流通するように流体圧送部を制御する。これにより、プロジェクタが所定の姿勢および天地逆さまの姿勢のいずれで設置された場合でも、冷却室内では、鉛直方向下側から上側へ冷却流体が流通されることとなる。冷却室内部において、光変調素子からの熱によって加熱された冷却流体は上側に移動するが、これは、冷却流体の流通方向と同方向であるため、冷却室内で冷却流体の対流が生じることはない。
これにより、冷却室内部の冷却流体は、光変調素子を効率よく冷却することができる。従って、プロジェクタの設置姿勢を変更しても、冷却室内の冷却流体による冷却効果を維持することができる。
【発明を実施するための最良の形態】
【００３７】
〔１．第一実施形態〕
以下、本発明の第一実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は外装ケース２と、冷却ユニット３と、光学ユニット４と、投射レンズＬとを備える。
なお、図１において、図示は省略するが、外装ケース２内において、冷却ユニット３、光学ユニット４、および投射レンズＬ以外の空間には、電源ブロック、ランプ駆動回路が配置されるものとする。
【００３８】
外装ケース２は、合成樹脂等から構成され、冷却ユニット３、光学ユニット４、投射レンズＬを内部に収納配置する全体略直方体状に形成されている。図示は省略するが、この外装ケース２には、冷却ユニット３によりプロジェクタ１外部から冷却空気を内部に導入するための吸気口およびプロジェクタ１内部で温められた空気を排出するための排気口が形成されている。
さらに、この外装ケース２には、図１に示すように、投射レンズＬの側方で外装ケース２の角部分に位置し、光学ユニット４の後述する光学装置のラジエータを他の部材と隔離する隔壁２１が形成されている。
【００３９】
冷却ユニット３は、プロジェクタ１内部に形成される冷却流路に冷却空気を送り込み、プロジェクタ１内で発生する熱を冷却する。この冷却ユニット３は、投射レンズＬの側方に位置し、外装ケース２に形成された図示しない吸気口からプロジェクタ１外部の冷却空気を内部に導入して光学ユニット４の後述する光学装置の液晶パネルに冷却空気を吹き付けるシロッコファン３１と、外装ケース２に形成された隔壁２１内部に位置し、外装ケース２に形成された吸気口からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００４０】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズＬは、複数のレンズが組み合わされた組レンズとして構成される。そして、この投射レンズＬは、光学ユニット４にて形成された光学像（カラー画像）を図示しないスクリーン上に拡大投射する。
【００４１】
〔光学ユニットの詳細な構成〕
光学ユニット４は、図１に示すように、インテグレータ照明光学系４１、色分離光学系４２、リレー光学系４３、光学装置４４、および、これら光学部品４１〜４４を収納配置する光学部品用筐体４５とを備える。
インテグレータ照明光学系４１は、光学装置４４を構成する後述する液晶パネルの画像形成領域を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００４２】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。  第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００４３】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００４４】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１、リレーレンズ４３３、および反射ミラー４３２，４３４を備え、色分離光学系４２で分離された赤色光を光学装置４４の後述する赤色光用の液晶パネルまで導く機能を有している。
【００４５】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光側をその中心軸（主光線）に対して平行な光束に変換する。他の緑色光用、赤色光用の液晶パネルの光入射側に設けられたフィールドレンズ４１８も同様である。
【００４６】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。本実施形態においては赤色光の光路長が長いのでこのような構成とされているが青色光の光路長を長くする構成も考えられる。
【００４７】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、中継タンク、および光変調素子保持体を備える。
【００４８】
液晶パネル４４１は、ガラスなどからなる一対の基板４４１Ｃ，４４１Ｄ（図５参照）に電気光学物質である液晶が密閉封入された構成を有している。このうち、基板４４１Ｃ（図５参照）は、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、基板４４１Ｄ（図５参照）は、基板４４１Ｃに対して所定間隔を空けて対向配置される対向基板であり、所定の電圧が印加される共通電極を有している。そして、これら基板４４１Ｃ，４４１Ｄには、図示しない制御装置と電気的に接続し、前記走査線、前記データ線、前記スイッチング素子、および前記共通電極等に所定の駆動信号を出力するフレキシブルプリント基板４４１Ｅ（図５参照）が接続されている。このフレキシブルプリント基板４４１Ｅ（図５参照）を介して前記制御装置から駆動信号を入力することで、所定の前記画素電極と前記共通電極との間に電圧が印加され、該画素電極および共通電極間に介在する液晶の配向状態が制御されて、入射側偏光板４４２から射出された偏光光束の偏光方向が変調される。
【００４９】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、サファイアガラスまたは水晶等の透光性基板４４２Ａ（図５参照）上に偏光膜（図示省略）が貼付された構成を有している。
射出側偏光板４４３は、入射側偏光板４４２と同様に透光性基板４４３Ａおよび光学変換膜としての偏光膜４４３Ｂ（図５参照）を有し、液晶パネル４４１から射出された光束のうち、入射側偏光板４４２における光束の透過軸と直交する偏光軸を有する光束のみ透過させ、その他の光束を吸収するものである。
【００５０】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００５１】
〔光学装置の構成〕
光学装置４４の構成を図１〜図１０を参照して説明する。
図１，２，７に示すように、光学装置４４は、液晶パネル４４１、入射側偏光板４４２、射出側偏光板４４３、およびクロスダイクロイックプリズム４４４が一体化された光学装置本体４４０と、メインタンク４４５と、流体圧送部（図示略）と、一対の中継タンク５（冷却流体蓄積部）と、ラジエータ４４７と、複数の流体循環部材４４８とを備える。
本実施形態の光学装置４４は、メインタンク４４５内の流体を、流体圧送部により送出し、複数の流体循環部材４４８及び中継タンク５を介して、液晶パネル４４１等に送り、液晶パネル４４１等を冷却する構造となっている。
【００５２】
メインタンク４４５は、略円柱形状であり、図示しないが、アルミニウム製の２つの容器状部材から構成され、２つの容器状部材の開口部分を互いに接続することで内部に冷却流体を一時的に蓄積する。このメインタンク４４５には、冷却流体を内部に流入させる冷却流体流入部（図示略）および内部の冷却流体を外部に流出させる冷却流体排出部（図示略）が形成されており、それぞれに流体循環部材４４８が接続されている。
このメインタンク４４５は、図１に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００５３】
流体圧送部は、メインタンク４４５内に蓄積された冷却流体を送入し、送入した冷却流体を外部に強制的に送出するものである。流体圧送部は、具体的な図示は省略するが、メインタンク４４５の冷却流体排出部に接続した流体循環部材４４８の他端と連通接続するとともに、外部に冷却流体を送出するために他の流体循環部材４４８の一端と連通接続している。
【００５４】
複数の流体循環部材４４８は、内部に冷却流体が対流可能にアルミニウム製の管状部材で構成され、冷却流体を循環可能に各部材４４０，４４５，５，４４７を接続する。
なお、本実施形態では、冷却流体として、透明性の非揮発性流体であるエチレングリコールを採用する。冷却流体としては、エチレングリコールに限らず、その他の流体を採用してもよい。
【００５５】
ラジエータ４４７は、外装ケース２に形成された隔壁２１内に配置され、光学装置本体４４０において各液晶パネル４４１等にて温められた冷却流体の熱を放熱する。ラジエータ４４７にて冷却された冷却流体は、流体循環部材４４８を介してメインタンク４４５内に流入する。
【００５６】
〔光学装置本体の構造〕
図１〜図７に示すように、光学装置本体４４０は、３つの液晶パネル４４１、３つの入射側偏光板４４２、３つの射出側偏光板４４３、およびクロスダイクロイックプリズム４４４の他、プリズム固定台４４０１と、カバー部材４４０４と、３つの光変調素子保持体４４０２と、３つの支持部材４４０３とを備える。
【００５７】
プリズム固定台４４０１は、図２に示すように、クロスダイクロイックプリズム４４４を支持するものである。このプリズム固定台４４０１は、図３に示すように、クロスダイクロイックプリズム４４４の下面（プロジェクタ１を通常の状態（上下さかさまに設置していない状態）に設置した際に下方に位置する面）と当接する平板状の当接部４４０１Ａと、この当接部４４０１Ａから光学部品用筐体４５の底面に向かって延びる一対の脚部４４０１Ｂとを備えている。
【００５８】
脚部４４０１Ｂは、略Ｌ字型形状であり、当接部４４０１Ａから光学部品用筐体４５の底面に向かって延びる平板状の第一面部４４０１Ｂ１と、この第一面部４４０１Ｂ１に対して略直交して設けられた平板状の第二面部４４０１Ｂ２とを備える。
第一面部４４０１Ｂ１には、孔４４０１Ｂ１１が形成されており、各第一面部４４０１Ｂ１の孔４４０１Ｂ１１は１本の軸線上に位置している。
また、前記一対の脚部４４０１Ｂの各第一面部４４０１Ｂ１と、当接部４４０１Ａとにより、所定の大きさの空間が形成されている。この空間内に後述するタンク５（５Ｂ）が配置される。
第二面部４４０１Ｂ２は、前記各第一面部４４０１Ｂ１と、当接部４４０１Ａとで形成される空間の外側に向かって延びており、この第二面部４４０１Ｂ２を光学部品用筐体４５の底面に固定することで、クロスダイクロイックプリズム４４４が光学部品用筐体４５に固定されることとなる。
【００５９】
カバー部材４４０４は、クロスダイクロイックプリズム４４４の上面に固定されている。このカバー部材４４０４は、略矩形筒型形状であり、図４に示すように、クロスダイクロイックプリズム４４４の上面に固定される第一面部４４０４Ａと、この第一面部４４０４Ａに対向配置された第二面部４４０４Ｂと、第一面部４４０４Ａ及び第二面部４４０４Ｂ間を接続し、対向する一対の側面部４４０４Ｃとを有する。
第一面部４４０４Ａは、中央に切り込みが形成され二枚の片に分離されている。
一対の側面部４４０４Ｃには、それぞれ孔４４０４Ｃ１が形成されており、この孔４４０４Ｃ１は、１本の軸線上に位置している。
【００６０】
図２に示すように、支持部材４４０３は、クロスダイクロイックプリズム４４４の光束入射面に固定されており、光変調素子保持体４４０２をクロスダイクロイックプリズム４４４に対して固定するためのものである。
【００６１】
〔光変調素子保持体の構造〕
図５は、光変調素子保持体４４０２の概略構成を示す分解斜視図であり、図６は、光変調素子保持体４４０２の断面図である。
３つの光変調素子保持体４４０２は、３つの液晶パネル４４１、３つの入射側偏光板４４２、および３つの射出側偏光板４４３をそれぞれ保持する。また、この光変調素子保持体４４０２内部には、冷却流体が流入し、該冷却流体により３つの液晶パネル４４１、３つの入射側偏光板４４２、および３つの射出側偏光板４４３がそれぞれ冷却される。
【００６２】
光変調素子保持体４４０２は、一対の枠状部材４４０５，４４０６と、４つの弾性部材４４０７（４４０７Ａ〜４４０７Ｄ）と、一対の偏光板固定部材４４０８Ａ，４４０８Ｂと、中間枠体４４０９とを備える。
【００６３】
偏光板固定部材４４０８Ａ，４４０８Ｂは、入射側偏光板４４２および射出側偏光板４４３を、第１弾性部材４４０７Ａおよび第４弾性部材４４０７Ｄを介して枠状部材４４０５，４４０６にそれぞれ押圧固定するものである。これら偏光板固定部材４４０８Ａ，４４０８Ｂは、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂには、左右側端縁にそれぞれフック係合部４４０８Ａ２，４４０８Ｂ２が形成され、フック係合部４４０８Ａ２，４４０８Ｂ２を枠状部材４４０５，４４０６の各フック４４０５Ｈ，４４０６Ｌに係合させることで、枠状部材４４０５，４４０６に対して、入射側偏光板４４２および射出側偏光板４４３を押圧した状態で、偏光板固定部材４４０８Ａ，４４０８Ｂが固定される。
【００６４】
弾性部材４４０７は、入射側偏光板４４２および枠状部材４４０５の間に介在配置される第１弾性部材４４０７Ａと、枠状部材４４０５および中間枠体４４０９の間に介在配置される第２弾性部材４４０７Ｂと、液晶パネル４４１及び枠状部材４４０６間に配置される第３弾性部材４４０７Ｃと、枠状部材４４０６および射出側偏光板４４３の間に介在配置される第４弾性部材４４０７Ｄとを備える。
このうち、第１弾性部材４４０７Ａ、および第４弾性部材４４０７Ｄは、略矩形枠状に形成され、後述する枠状部材４４０５，４４０６の各凹部４４０５Ｅ，４４０６Ｂに設置される。
また、第２弾性部材４４０７Ｂは、略矩形枠状に形成されるとともに、上方側左右方向略中央部分に挿通孔４４０７Ｂ１が形成される。この第２弾性部材４４０７Ｂは、後述する枠状部材４４０５の凹部４４０５Ｂに設置される。
さらに、第三弾性部材４４０７Ｃは、略矩形枠状に形成されるとともに、下方側左右方向略中央部分に挿通孔４４０７Ｃ１が形成されている。この第３弾性部材４４０７Ｃは、後述する枠状部材４４０６の凹部４４０６Ｆに設置される。
【００６５】
これら弾性部材４４０７としては、弾性を有するシリコンゴムを採用でき、さらに、両面あるいは片面に表層の架橋密度を上げる表面処理を施したものが好ましい。このように、端面に表面処理を施すことにより、弾性部材４４０７を各凹部４４０５Ｂ，４４０５Ｅ，４４０６Ｂ，４４０６Ｇに設置する作業を容易に実施できる。
なお、弾性部材４４０７は、シリコンゴムに限らず、水分透過量の少ないブチルゴムまたはフッ素ゴムを使用してもよい。
【００６６】
枠状部材４４０５は、液晶パネル４４１の光束入射側と、入射側偏光板４４２の光束射出側との間に配置され、液晶パネル４４１の光束入射側を支持するとともに入射側偏光板４４２の光束射出側を支持する。
この枠状部材４４０５は、略中央部分に液晶パネル４４１の画像形成領域に対応した矩形状の開口部４４０５Ａを有する平面視略矩形状のアルミニウム製の枠体である。
この枠状部材４４０５の光束射出側端面には、図５，６に示すように、第二弾性部材４４０７Ｂが嵌めこまれる凹部４４０５Ｂが形成されている。
この凹部４４０５Ｂに第二弾性部材４４０７Ｂをはめ込み、中間枠体４４０９に保持された液晶パネル４４１を開口部４４０５Ａに対向させることで、開口部４４０５Ａの光束射出側が閉塞される。
【００６７】
図６に示すように、この枠状部材４４０５の下方側左右方向略中央部分には、光束射出側面及び光束入射側面を貫通する孔４４０５Ｊが形成されている。さらには、枠状部材４４０５には、この孔４４０５Ｊと連通し、光束射出側に向かって突出した筒状部４４０５Ｃが形成されている。
また、枠状部材４４０５の下部には、下方に突出した筒状部４４０５Ｉが形成されている。この筒状部４４０５Ｉは、流体循環部材４４８と接続されるものである。
筒状部４４０５Ｃは、この筒状部４４０５Ｉに対して略直交するように配置され、連通接続している。そして、この筒状部４４０５Ｃの内側面の一部は、前記筒状部４４０５Ｉの中心軸と交差するように延出し、該内側面の一部には前記筒状部４４０５Ｉを介して流入した冷却流体を、枠状部材４４０５の光束入射側および光束射出側に分流する突出部４４０５Ｃ２が形成されている。
【００６８】
また、凹部４４０５Ｂにおける上方側の左右方向略中央部分には、光束射出側端面および光束入射側端面を貫通し、枠状部材４４０６の後述する筒状部４４０６Ｄを挿通可能とする挿通孔４４０５Ｄが形成されている。
【００６９】
さらに、枠状部材４４０５の光束入射側端面には、第一弾性部材４４０７Ａに対応した凹部４４０５Ｅが形成されている。この凹部４４０５Ｅに第一弾性部材４４０７Ａをはめ込み、入射側偏光板４４２を第一弾性部材４４０７Ａに当接させて、枠状部材４４０５と偏光板固定部材４４０８Ａとで挟持することで、入射側偏光板４４２が保持されることとなる。
また、枠状部材４４０５の光束入射側端面には、凹部４４０５Ｅよりも深い凹部４４０５Ｆが形成されている。
【００７０】
以上のような構成の枠状部材４４０５では、凹部４４０５Ｂにて第２弾性部材４４０７Ｂおよび中間枠体４４０９を介して液晶パネル４４１の光束入射側端面を支持することで、開口部４４０５Ａの光束射出側が閉塞される。また、枠状部材４４０５に対して偏光板固定部材４４０８Ａを固定することで、入射側偏光板４４２が第１弾性部材４４０７Ａを介して枠状部材４４０５に押圧され、枠状部材４４０５の開口部４４０５Ａの光束入射側が封止される。そして、枠状部材４４０５の開口部４４０５Ａの光束入射側および光束射出側が閉塞されることで、枠状部材４４０５内部に冷却流体を封入可能とする第一冷却室Ｒ１（図６参照）が形成される。
第一冷却室Ｒ１は、液晶パネル４４１の画像形成領域に対向したものであり、入射側偏光板４４２及び液晶パネル４４１により形成されたものであるため、これらの熱が第一冷却室Ｒ１内の冷却流体に熱伝導可能となっている。
【００７１】
枠状部材４４０６は、光束入射側面で第三弾性部材４４０７Ｃを介して液晶パネル４４１を保持するとともに、光束射出側面で前記第四弾性部材４４０７Ｄを介して射出側偏光板４４３を保持するものである。
この枠状部材４４０６は、上述した枠状部材４４０５と略同様に、略中央部分に液晶パネル４４１の画像形成領域に対応した矩形状の開口部４４０６Ａを有する平面視略矩形状のアルミニウム製の枠体である。
この枠状部材４４０６において、光束射出側端面には、第四弾性部材４４０７Ｄの形状に対応して矩形枠状の凹部４４０６Ｂが形成され、この凹部４４０６Ｂにて前記第４弾性部材４４０７Ｄを介して射出側偏光板４４３を支持する。そして、枠状部材４４０６が射出側偏光板４４３の光束入射側端面を支持することで、射出側偏光板４４３の光束入射側端面にて、開口部４４０６Ａにおける光束射出側が閉塞される。
【００７２】
さらに枠状部材４４０６の前記凹部４４０６Ｂの内側には、凹部４４０６Ｂよりも深い凹部４４０６Ｅが形成されている。この凹部４４０６Ｅに連通するように、枠状部材４４０６には、上方に突出した筒状部４４０６Ｉが形成されている。
また、この筒状部４４０６Ｉに連通するように枠状部材４４０６の光束入射側端面には、枠状部材４４０５側に突出した筒状部４４０６Ｄが形成されている。
なお、光束入射側端面には、第三弾性部材４４０７Ｃに対応した形状の凹部４４０６Ｆが形成されており、この凹部４４０６Ｆに第三弾性部材４４０７Ｃをはめ込み、さらに、枠状部材４４０５により液晶パネル４４１を押圧することで、枠状部材４４０６の開口部４４０６Ａが閉鎖される。
すなわち、枠状部材４４０６では、光束入射側端面に液晶パネル４４１を押圧するとともに、光束射出側端面に射出側偏光板４４３を押圧することで、開口部４４０６Ａが閉鎖され、枠状部材４４０６内部に冷却流体が注入される第２冷却室Ｒ２が形成される。
第二冷却室Ｒ２は、液晶パネル４４１の画像形成領域に対向したものであり、射出側偏光板４４３及び液晶パネル４４１により形成されたものであるため、これらの熱は第二冷却室Ｒ２内の冷却流体に熱伝導可能となっている。
【００７３】
さらに、このような枠状部材４４０６には、前述した枠状部材４４０５の筒状部４４０５Ｃを挿入するための孔４４０６Ｃが形成されている。この孔４４０６Ｃは、第二冷却室Ｒ２に連通するように形成されている。
以上のような枠状部材４４０５，４４０６には、それぞれねじ孔が形成されており、このねじ孔にねじを螺合することで、枠状部材４４０５，４４０６が組み合わされる。
枠状部材４４０６と枠状部材４４０５とを組み合わせた状態では、枠状部材４４０６における筒状部４４０６Ｄが、中間枠体４４０９の後述する挿通孔４４０９Ｄ、第２弾性部材４４０７Ｂの挿通孔４４０７Ｂ１を介して、枠状部材４４０５における挿通孔４４０５Ｄに挿通される。
また、枠状部材４４０６と枠状部材４４０５とを組み合わせた状態では、枠状部材４４０５の筒状部４４０５Ｃが中間枠体４４０９の挿通孔４４０９Ｄ、第三弾性部材４４０７Ｃの挿通孔４４０７Ｃ１を介して枠状部材４４０６の孔４４０６Ｃに挿入される。
【００７４】
中間枠体４４０９は、アルミニウム製の平面視略矩形状の板体から構成され、液晶パネル４４１を保持するとともに、該液晶パネル４４１を枠状部材４４０５，４４０６の所定位置に位置決めするものである。
この中間枠体４４０９において、その略中央部分には、液晶パネル４４１の対向基板４４１Ｄを嵌合可能な矩形状の開口部４４０９Ａが形成され、液晶パネル４４１の対向基板４４１Ｄを開口部４４０９Ａに嵌合させることで、中間枠体４４０９に対して液晶パネル４４１が位置決めされる。
また、この中間枠体４４０９において、下方側端部の左右方向略中央部分、および上方側端部の光束射出側から見て左側角隅部分には、枠状部材４４０６の筒状部４４０６Ｄ、枠状部材４４０５の筒状部４４０５Ｃをそれぞれ挿通可能とする２つの挿通孔４４０９Ｄが形成されている。これら挿通孔４４０９Ｄは、枠状部材４４０５，４４０６に対する中間枠体４４０９の位置決め用の孔としての機能を有し、予め、中間枠体４４０９に対して液晶パネル４４１を位置決め固定した状態で、中間枠体４４０９の２つの挿通孔４４０９Ｄに枠状部材４４０６の筒状部４４０６Ｄ、枠状部材４４０５の筒状部４４０５Ｃをそれぞれ挿通することで、枠状部材４４０６，４４０５に対して中間枠体４４０９が位置決めされ、すなわち、液晶パネル４４１が枠状部材４４０６，４４０５の所定位置に位置決めされる。
【００７５】
［中継タンクの構成］
図７から図１０を参照して中継タンク５の構造について説明する。
中継タンク５は、図７に示すように、クロスダイクロイックプリズム４４４を挟んで上下に対向配置されている。
図７において、クロスダイクロイックプリズム４４４の上部の中継タンク５は、光学装置本体４４０のカバー部材４４０４内に設置されており、クロスダイクロイックプリズム４４４の下部の中継タンク５は、プリズム固定台４４０１内に配置されている。
ここで、クロスダイクロイックプリズム４４４の上部に配置される中継タンク５を中継タンク５Ａ、クロスダイクロイックプリズム４４４の下部に配置される中継タンク５を中継タンク５Ｂとする。
【００７６】
図８を用いて、クロスダイクロイックプリズム４４４の下部の中継タンク５Ｂについて説明する。
中継タンク５Ｂは、冷却流体が蓄積されるタンク本体５１と、タンク本体５１内に冷却流体を流入させるための冷却流体流入部５２と、タンク本体５１内から冷却流体を排出させるための冷却流体排出部５３とを備えている。
タンク本体５１は、中空の略直方体形状であり、内部に冷却流体が蓄積されている。このタンク本体５１は、上面に向かって開口した断面略コ字形の本体部５１Ａと、この本体部５１Ａの開口を塞ぐ蓋部５１Ｂとを備えている。
本体部５１Ａは、平面略矩形形状の底面部５１Ａ１及びこの底面部５１Ａ１の周縁から立ち上がった４枚の側面部５１Ａ２を備えている。
【００７７】
本体部５１Ａ内には、冷却流体が蓄積されており、この冷却流体の液面は、側面部５１Ａ２の孔５１Ａ２１よりも上方に位置している。また、冷却流体の液面と、蓋部５１Ｂとの間には隙間が形成されており、この隙間が気泡蓄積部５１Ｃとなっている。すなわち、冷却流体の鉛直方向上側に気泡蓄積部５１Ｃが形成されているのである。
【００７８】
蓋部５１Ｂは、平板であり、上面に切欠き５１Ｂ１が形成されるとともに、蓋部５１Ｂの表裏面を貫通する貫通孔５１Ｂ２が形成されている。
切欠き５１Ｂ１は、冷却流体流入部５２及び冷却流体排出部５３を結ぶ軸線に沿って延びている。
貫通孔５１Ｂ２は、切欠き５１Ｂ１の一部につながっている。また、貫通孔５１Ｂ２は、気泡蓄積部５１Ｃと、中継タンク５のタンク本体５１外部と連通するものである。この貫通孔５１Ｂ２内部には、開放弁５１Ｄが配置されている。
開放弁５１Ｄは、中継タンク５のタンク本体５１の外部と、気泡蓄積部５１Ｃとを接続する。この開放弁５１Ｄは、中空の円柱部５１Ｄ１１と、この円柱部５１Ｄ１１の先端に断面略Ｖ字形状の錘部５１Ｄ１２とが一体的になって形成されている。
この開放弁５１Ｄは、気泡蓄積部５１Ｃと中継タンク５の外部とを連通する連通路（切り欠き５１Ｂ１と貫通孔５１Ｂ２）を開放する開放状態、連通路を閉塞する閉塞状態を切り換えるものであり、気泡蓄積部５１Ｃの内部が中継タンク５の外部に対して負圧状態である場合に開放状態とし、気泡蓄積部５１Ｃの内部が中継タンク５の外部に対して負圧状態でない場合には閉塞状態とするように切り換わる、いわば逆止弁の役割を果たす。このような逆止弁の例としては、ダックビルバルブ（米Vernay Laboratories社）等が挙げら
れる。
【００７９】
このような貫通孔５１Ｂ２や、開放弁５１Ｄを設けない場合において、タンク５を流れる冷却流体の流れが急激に速くなった場合には、気泡蓄積部５１Ｃに負圧が発生することがある。負圧が発生すると、気泡蓄積部５１Ｃ中の気体が冷却流体内に入り込んでしまう虞がある。
これに対し、タンク５の気泡蓄積部５１Ｃに連通する貫通孔５１Ｂ２を設け、この貫通孔５１Ｂ２に開放弁５１Ｄを設置することで、気泡蓄積部５１Ｃ内の圧力が常に大気圧に保たれることとなる。
これにより、気泡蓄積部５１Ｃ中の気体が冷却流体中に入り込んでしまうのを防止することができる。
【００８０】
冷却流体流入部５２は、図９に示すように、タンク本体５１の側面部５１Ａ２の孔５１Ａ２１に挿入される第一パイプ５２１と、この第一パイプ５２１の冷却流体流入側に接続された第二パイプ５２２とを備える。
第一パイプ５２１は、その冷却流体流出側端部が、中継タンク５Ｂの本体部５１Ａ内部に引き込まれ、他方の端部が、継ぎ手５２３に挿通されて固定されている。
第二パイプ５２２は、円柱状の大径部５２２Ａと、この大径部５２２Ａと連通する円柱状の小径部５２２Ｂとを備えている。小径部５２２Ｂは、第一パイプ５２１の他方の端部に対して、継ぎ手５２３を介して接続されている。
大径部５２２Ａの小径部５２２Ｂと反対側の端部の外周面には、ねじが刻設されている。このねじには、カバー５２４が螺合している。この大径部５２２Ａ内部には、流体循環部材４４８が挿入されている。この流体循環部材４４８の外周面には溝４４８Ｂが形成されており、この溝４４８Ｂ内には大径部５２２Ａの内面に当接するＯリング４４８Ａが配置されている。
【００８１】
冷却流体排出部５３は、図７に示すように、冷却流体流入部５２と略同様の構成であり、冷却流体流入部５２の第一パイプ５２１と同様の構成の第一パイプ５３１、冷却流体流入部５２の第二パイプ５２２と同様の第二パイプ５３２、さらには、継ぎ手５２３と同様の継ぎ手５３３、カバー５２４と同様のカバー５３４を備える。
冷却流体排出部５３及び冷却流体流入部５２を結ぶ軸線は、中継タンク５の冷却流体の荷重がかかる方向（すなわち、鉛直方向）と略直交する軸線となっている。
第一パイプ５３１は、その冷却流体流入側端部が、中継タンク５Ｂの本体部５１Ａ内部に引き込まれている。
第二パイプ５３２には、流体循環部材４４８が挿入されており、流体循環部材４４８の外周面の溝４４８Ｂには、Ｏリング４４８Ａが配置されている。
【００８２】
次に、図８を用いて、中継タンク５Ｂと、冷却流体流入部５２および冷却流体排出部５３との接続構成について説明する。
中継タンク５Ｂの側面部５１Ａ２のうち対向する一対の側面部５１Ａ２には、孔５１Ａ２１が形成されている。
前記冷却流体流入部５２及び冷却流体排出部５３を構成する第一パイプ５２１，５３１は、ボールベアリングＰおよび取り付け部材５４を介して、この孔５１Ａ２１に挿通されている。孔５１Ａ２１の内周面には、ボールベアリングＰの外輪が固定されている。
【００８３】
取り付け部材５４は、プリズム固定台４４０１の外壁に沿って固定される板状部５４１と、この板状部５４１から中継タンク５Ｂ側に突出した中空の筒状部５４２とを備える。
板状部５４１には貫通孔５４１Ａが形成されており、筒状部５４２内部と連通している。
筒状部５４２は、プリズム固定台４４０１の孔４４０１Ｂ１１、および、中継タンク５Ｂの孔５１Ａ２１を貫通しており、その外周面が、孔５１Ａ２１内のボールベアリングＰの内輪に固定されている。筒状部５４２の内部には、第一パイプ５２１，５３１の中継タンク側端部が貫通されて固定されている。
また、中継タンク５Ｂの側面部５１Ａ２の外壁面と、プリズム固定台４４０１の脚部４４０１Ｂの内壁面の間には、弾性部材５７が介在されている。弾性部材５７は、第一パイプ５２１，５３１、および、取り付け部材５４の筒状部５４２を挿通している。
【００８４】
また、冷却流体排出部５３側のボールベアリングＰの外輪には、接続部材５８を介して、後述する固定部材５６が固定されている。すなわち、固定部材５６は、冷却流体排出部５３側のボールベアリングＰの外輪を介して、中継タンク５Ｂに固定されている。また、固定部材５６の内面と、第一パイプ５３１端部との間には、パッキン５８１が介在されており、固定部材５６を通過する冷却流体を、ベアリングＰ側に流入させない構成となっている。
接続部材５８は、冷却流体排出部５３の第一パイプ５３１と、固定部材５６とを連通させる筒状部材である。接続部材５８は、中継タンク５Ｂの側面部５１Ａ２側の端部において、第一パイプ５３１の冷却流体流入側端部を内部に挿通した状態でボールベアリングＰの外輪に接合されている。また、固定部材５６側の端部は、固定部材５６の第１固定部５６１端面に接合されている。
【００８５】
本実施形態では、中継タンク５Ｂと冷却流体流入部５２および冷却流体排出部５３とが、前述のような構成で接続されているため、第一パイプ５２１，５３１を通る軸線を回転軸として、中継タンク５Ｂおよび固定部材５６が一体的に回転を行うこととなる。
【００８６】
冷却流体排出部５３のタンク本体５１の本体部５１Ａ内に配置された第一パイプ５３１の端部には、図８にも示すように、固定部材５６を介してフィルタ５５（気泡捕捉手段）が取り付けられている。
固定部材５６は、第一パイプ５３１に固定される第一固定部５６１と、この第一固定部５６１とともにフィルタ５５を挟持して固定する第二固定部５６２とを備える。
第一固定部５６１は、第一パイプ５３１の端部の周囲を覆うとともに第一パイプ５３１と連通する中空の筒状部５６１Ａと、この筒状部５６１Ａから広がるフランジ部５６１Ｂとを備える。
第二固定部５６２も両端が開口した中空の筒状部５６２Ａと、この筒状部５６２Ａから広がるフランジ部５６２Ｂとを備える。
フランジ部５６２Ｂには、前記フィルタ５５の外周縁をはめ込む窪み５６２Ｂ１が形成されており、フィルタ５５の外周縁を前記フランジ部５６２Ｂの窪み５６２Ｂ１にはめ込むとともに、第一固定部５６１のフランジ部５６１Ｂと、フランジ部５６２Ｂとでフィルタ５５の外周縁を挟持することで、フィルタ５５が所定の位置に固定される。すなわち、固定部材５６はフィルタ５５の周囲を取り囲むように配置される。
【００８７】
第二固定部５６２の筒状部５６２Ａは、前記フランジ部５６２Ｂよりも冷却流体通過方向前段側、すなわち、フィルタ５５の流体流入側に配置されている。この筒状部５６２Ａは、冷却流体をフィルタ５５にまで案内する役割を果たしている。
【００８８】
さらに、この筒状部５６２Ａの上側面には、筒状の側面を上下方向に貫通する孔（排出孔）５６２Ａ１が形成されている。すなわち、この孔５６２Ａ１は、固定部材において、フィルタ５５を通過する冷却流体流入側の上側面に形成されている。孔５６２Ａ１からは、フィルタ５５を通過できなかった気泡が固定部材５６の外部へ排出される。
【００８９】
フィルタ５５は、微細な複数の孔が形成された平板状のものであり、冷却流体を通過可能とするとともに、気泡の通過を防止するものである。このフィルタ５５は孔が冷却流体の通過方向に沿うように配置されている。
フィルタ５５の孔の大きさは、液晶パネル４４１の１画素の大きさよりも小さくすることが好ましく、例えば、孔の径は５μｍ以上、２０μｍ以下であることが好ましい。なお、フィルタ５５の孔の径は、冷却流体の粘度や、表面張力、冷却流体の流動圧力等に基づき決定される。
ここで、フィルタ５５としては、例えば、網状の樹脂製のフィルタや、不織布等が例示できる。また、ステンレス等の耐腐食性に優れた金属製のフィルタとしてもよい。さらには、セラミックス製としてもよい。
【００９０】
クロスダイクロイックプリズム４４４の上部に配置される中継タンク５Ａは、図７に示すように、上述したクロスダイクロイックプリズム４４４の下部に配置される中継タンク５Ｂと比較して、固定部材５６における排出孔の形成位置を除いて、同一の構成である。
また、クロスダイクロイックプリズム４４４の上部に配置される中継タンク５Ａでは、冷却流体流入部５２’の構成が、クロスダイクロイックプリズム４４４の下部に配置される中継タンク５の冷却流体排出部５３と同様の構成となっており、冷却流体排出部５３’の構成が、クロスダイクロイックプリズム４４４の下部に配置される中継タンク５Ｂの冷却流体流入部５２と同様の構成となっている。すなわち、中継タンク５Ａでは、冷却流体流入部５２’にフィルタ５５が設けられているのである。
【００９１】
中継タンク５Ａにおいて、冷却流体流入部５２’の第一パイプ５２１端部に設けられた固定部材５６では、第１固定部５６１の筒状部５６１Ａの上側面に、排出孔としての孔５６１Ａ１が形成されている。つまり、この孔５６１Ａ１は、固定部材５６において、フィルタ５５を通過する冷却流体流入側の上側面に形成されている。
【００９２】
[冷却流体の循環]  
次に、冷却流体の循環について説明する。
メインタンク４４５に蓄積された冷却流体は、流体圧送部を介して排出され、流体循環部材４４８を通り、中継タンク５Ｂの冷却流体流入部５２に導入される。そして、冷却流体流入部５２に導入された冷却流体は、タンク本体５１内に案内される。タンク本体５１内に案内された冷却流体は、タンク本体５１内に蓄積されるとともに、徐々に固定部材５６の第二固定部５６２の筒状部５６２Ａ内に排出される。そして、第２固定部５６２の窪み５６２Ｂ１に嵌めこまれたフィルタ５５を介して、冷却流体排出部５３に排出される。
冷却流体中の気泡は、フィルタ５５を通過することができないため、フィルタ５５近傍に留まり、第二固定部５６２の筒状部５６２Ａの孔５６２Ａ１から排出される。そして、気泡蓄積部５１Ｃに蓄積される。
【００９３】
中継タンク５Ｂから排出された冷却流体は、流体循環部材４４８により、分流されて、各光変調素子保持体４４０２に注入される。光変調素子保持体４４０２の枠状部材４４０５の筒状部４４０５Ｉは流体循環部材４４８に接続されており、光変調素子保持体４４０２の枠状部材４４０５の筒状部４４０５Ｉに注入された冷却流体は、突出部４４０５Ｃ２により、枠状部材４４０５の光束入射側および光束射出側に分流される。枠状部材４４０５の光束入射側に分流された冷却流体は、第一冷却室Ｒ１内に導入され、入射側偏光板４４２及び液晶パネル４４１を冷却して、枠状部材４４０６の筒状部４４０６Ｄ内に導入される。そして、枠状部材４４０６の筒状部４４０６Ｉから排出される。
一方、枠状部材４４０５の光束射出側に分流された冷却流体は、筒状部４４０５Ｃ内に導入され、さらに、第二冷却室Ｒ２内に排出される。第二冷却室Ｒ２内の冷却流体は、液晶パネル４４１及び射出側偏光板４４３を冷却した後、枠状部材４４０６の筒状部４４０６Ｉに排出される。
各光変調素子保持体４４０２の筒状部４４０６Ｉから排出された冷却流体は、流体循環部材４４８により合流して、中継タンク５Ａに蓄積される。中継タンク５Ａの冷却流体流入部５２’には、フィルタ５５が取り付けられているので、冷却流体中の気泡が、フィルタ５５で取り除かれ、気泡は気泡蓄積部５１Ｃに蓄積する。冷却流体は、中継タンク５Ａの冷却流体排出部５３’から排出され、流体循環部材４４８を介して、ラジエータ４４７にまで運ばれ、冷却された後、流体循環部材４４８を通り、メインタンク４４５にまで戻される。
【００９４】
このような本実施形態では、メインタンク４４５からの冷却流体を中継タンク５Ｂを介して光変調素子保持体４４０２の各冷却室Ｒ１，Ｒ２に送り、さらに、冷却室Ｒ１，Ｒ２から排出される冷却流体を中継タンク５Ａを介してメインタンク４４５に戻している。これにより、光変調素子保持体４４０２の冷却室Ｒ１，Ｒ２内に冷却流体を密封させておく場合に比べ、冷却流体が暖められにくく、液晶パネル４４１、入射側偏光板４４２、射出側偏光板４４３を確実に冷却することができる。
【００９５】
さらに、本実施形態のタンク本体５１内に配置されたフィルタ５５は、流体の通過を可能とするとともに、気泡の通過を不可能とするものであるため、冷却流体中の気泡は、フィルタ５５を通過することができない。この気泡は、フィルタ５５付近に停滞した後、他の気泡と合わさって大きな気泡となり浮力により上昇し始める。そして、第二固定部５６２の筒状部５６２Ａの孔５６２Ａ１から排出され、冷却流体の液面の上部の気泡蓄積部５１Ｃに蓄積されることとなる。
従って、中継タンク５Ｂから排出される冷却流体中には、気泡がほとんど残らず、中継タンク５Ｂから排出された冷却流体が案内される光変調素子保持体４４０２の冷却室Ｒ１，Ｒ２内に気泡が混入することがほとんどない。従って、光学装置４４を透過する光束が気泡により散乱してしまうことがなく、プロジェクタ１により、鮮明な投射画像を形成することができる。
【００９６】
また、フィルタ５５の孔は、非常に径が小さなものとなるので、冷却流体中にごみが混入していた場合であっても、フィルタ５５によりごみの通過を防止することができる。
従って、タンク５Ｂから、光変調素子保持体４４０２の冷却室Ｒ１，Ｒ２内にごみが排出されてしまうのを防止することができる。
【００９７】
さらにフィルタ５５の流体流入側に配置された第二固定部５６２の筒状部５６２Ａに孔５６２Ａ１を設けることで、フィルタ５５で通過不能とした気泡をスムーズに気泡蓄積部５１Ｃに蓄積することができる。冷却流体中の気泡をスムーズに気泡蓄積部５１Ｃに排出することができるので、気泡が冷却流体中に長期間停滞することがなく、中継タンク５Ｂから冷却室Ｒ１，Ｒ２に対して、気泡が排出されてしまうのを確実に防止することができる。従って、プロジェクタ１により、鮮明な投射画像を形成することができる。
さらに、中継タンク５Ａにもフィルタ５５を設けることで、メインタンク４４５に戻る冷却流体中の気泡を除去することができる。
【００９８】
前述のように、中継タンク５Ｂは、冷却流体流入部５２、冷却流体排出部５３に軸支されて回転可能となっている。
ここで、図７に示すような、クロスダイクロイックプリズム４４４を挟んで、中継タンク５Ｂを下方向側、中継タンク５Ａを上方向側となる位置関係を、プロジェクタ１を通常据える状態（所定の姿勢）とし、後記する図１０に示すような、クロスダイクロイックプリズム４４４を挟んで、中継タンク５Ｂを上方向側、中継タンク５Ａを下方向側となる位置関係を、プロジェクタ１を通常据える状態に対して天地が逆さまとなる状態（天地逆さまの姿勢）として説明する。
【００９９】
本実施形態の光源装置４４を備えるプロジェクタ１の姿勢を天地逆さまに逆転させると、この逆転に伴って、冷却流体排出部５３、冷却流体流入部５２、冷却流体流入部５２’、冷却流体排出部５３’が逆転することとなる。冷却流体排出部５３、冷却流体流入部５２、冷却流体流入部５２’、冷却流体排出部５３’は、流体循環部材４４８のＯリング４４８Ａと第二パイプ５２２，５３２との間で生じる摩擦に勝る力により回転する。
一方、中継タンク５の重心は、回転軸よりも鉛直方向下方に位置している。従って、プロジェクタ１の姿勢を天地逆さまに逆転させると、中継タンク５が重力により、流体循環部材４４８に対して回転することとなる。
そのため、図１０に示すように、プロジェクタ１を天地逆さまの姿勢に逆転した場合であっても、各中継タンク５内の冷却流体は、タンク本体５１内部の下方に位置するとともに、気泡蓄積部が上方に位置することとなる。すなわち、中継タンク５の姿勢は、プロジェクタ１の姿勢によらず、常に一定の姿勢となるのである。
従って、プロジェクタ１の設置姿勢を天地逆さまの姿勢に逆転した場合であっても、気泡蓄積部５１Ｃ中の気体がタンク本体５１中の冷却流体中に混入することを防止することができる。従って、プロジェクタ１の設置姿勢によらず、常に鮮明な投射画像を形成することができる。
【０１００】
また、前述のように、固定部材５６が中継タンク５に固定され、中継タンク５Ｂと一体的に姿勢を変えることから、固定部材５６の姿勢は、プロジェクタ１の姿勢によらず常に一定の姿勢となる。すなわち、固定部材５６に形成された排出孔（孔５６１Ａ１，５６２Ａ１）の位置は、プロジェクタ１が天地逆さまの姿勢に逆転された場合でも、固定部材５６に固定されたフィルタ５５に対し上方となる。
このため、図７および図１０に示すように、排出孔（孔５６１Ａ１，５６２Ａ１）は、プロジェクタ１の姿勢によらず、常に、フィルタ５５に対し、第一パイプ５２１，５３１を通過する冷却流体上流側の上方の固定部材５６に形成されている。
従って、プロジェクタ１の姿勢によらず、フィルタ５５に捕捉された気泡を、排出孔を介して固定部材５６からスムースに排出し、気泡蓄積部５１Ｃに蓄積させることができる。
【０１０１】
さらに、中継タンク５は、重力により、流体循環部材４４８に対して、回転するので、例えば、モータ等の電気的な力を使用して中継タンク５を回転させる場合に比べ、省エネルギーを図ることができる。
【０１０２】
〔２．第二実施形態〕
図１１〜図１３を参照して本発明の第二実施形態について説明する。
以下の説明では、既に説明した部分と同一の部分については、同一符号を付してその説明を省略する。
本実施形態のプロジェクタ１は、前記第一実施形態と比較して、排出孔の形成位置が異なるとともに、姿勢検出部と、圧送駆動制御部とを備えている点が異なる。なお、図１１に示す冷却流体の流れる方向（図１１中に矢印で示す）を、所定の流れ方向とする。
ここで、姿勢検出部は、プロジェクタ１の姿勢が変えられて、天地逆さまの姿勢で設置されたことを検出する。圧送駆動制御部は、姿勢検出部から天地逆さまの姿勢になった旨の連絡により、冷却流体の流れる方向を前記所定の方向と逆方向に変換する。
【０１０３】
本実施形態では、図１１に示すように、中継タンク５Ｂのパイプ５３１に配設される固定部材５６Ａにおいて、第１固定部５６１の上側面に孔５６１Ａ１が、第２固定部５６２に上側面に孔５６２Ａ１が形成されている。
すなわち、中継タンク５Ｂに配設された固定部材５６Ａには、当該固定部材５６Ａに固定されるフィルタ５５に対して、冷却流体流入側および流出側の上側面に、それぞれ排出孔が形成されている。
【０１０４】
また、中継タンク５Ａにおいて、パイプ５２１端部に設けられた固定部材５６Ａにも、第１固定部５６１の上側面に孔５６１Ａ１、第２固定部５６２の上側面に孔５６２Ａ１が形成されている。すなわち、中継タンク５Ａに配設された固定部材５６Ａには、中継タンク５Ｂと同様に、フィルタ５５に対し冷却流体流入側および流出側の上側面に、それぞれ排出孔が形成されている。
【０１０５】
図１２は、制御基板１１および電源ユニット１２の構成を示すブロック図である。
制御基板１１は、例えば、光学ユニット４の上方に配置される。この制御基板１１は、ＣＰＵ（Central Processing Unit）等の演算処理装置が実装された回路基板として構成
されている。
この制御基板１１は、図１２に示すように、プロジェクタ１におけるプロジェクタ１全体の駆動制御や、冷却流体の流れる方向の制御を行う圧送駆動制御部としての主制御系１１１と、液晶パネル４４１（４４１Ｒ，４４１Ｇ，４４１Ｂ）の駆動制御を行う表示制御系１１２と、メモリ１１３とを備えている。このうち、メモリ１１３は、表示制御系１１２が液晶パネル４４１を駆動制御する際に読み込まれる画像表示用設定データが記録されるものであり、ＥＥＰＲＯＭおよびフラッシュメモリ等で構成することができる。
【０１０６】
主制御系１１１は、姿勢判定部１１１１と運転制御部１１１２からなり、姿勢判定部１１１１は、プロジェクタ１の姿勢を接続される姿勢検出センサ１１１３からの情報をもとに判定し、その判定結果（所定の姿勢か、あるいは天地逆さまの姿勢か等）を判定して、判定結果を運転制御部１１１２に連絡する。
なお、姿勢検出センサ１１１３は、本発明の姿勢検出部に相当し、例えば、加速度センサ等を用いることが考えられる。
一方、運転制御部１１１２は、姿勢判定部１１１１から、プロジェクタ１の姿勢が天地逆さまの姿勢であるという判定結果が連絡された場合には、ポンプ駆動ユニット１１１４に対して、冷却流体の流れる方向を、所定の流れ方向と反対方向にする制御信号を出力する駆動制御を行い、ポンプ駆動ユニット１１１４が、冷却流体の流れる方向をそのように変更する。
【０１０７】
なお、前記した図１２において、主制御系１１１のその他の制御に関する内容を説明すると、後述する電源ユニット１２のランプ駆動ブロック１２１と電気的に接続され、図示しない操作スイッチおよびリモコン受光部からの操作信号に基づいて、ランプ駆動ブロック１２１に制御信号を出力し、光源装置４１１への電力供給を制御して、光源ランプの輝度を調整している。
【０１０８】
また、表示制御系１１２は、前述の接続端子を介して外部から入力する画像情報と、メモリ１１３に記録された画像表示用設定データ、または、使用者の図示しない操作パネルの操作によって主制御系１１１から出力された画像表示用設定データとに基づいて、液晶パネル４４１を駆動制御する。また、表示制御系１１２は、主制御系１１１から出力される制御信号に基づいて、画像表示用設定データの読込および書込を、メモリ１１３に対して行う。
【０１０９】
電源ユニット１２は、光源装置４１１および制御基板１１等のプロジェクタ１の電子部品に電力を供給する回路基板であり、図示しないインレットコネクタから供給される電力を変換する電源ブロック１２２と、この電源ブロック１２２の下方に配置されるランプ駆動ブロック１２１とを備えている。
【０１１０】
電源ブロック１２２は、図示しないインレットコネクタに接続された電源ケーブルを通して外部から供給された電力を、ランプ駆動ブロック１２１および制御基板１１等に供給する電源変換回路である。この電源ブロック１２２は、図１２に示すように、外部電源から供給される交流電流を直流電流に変換する一次側電力供給系１２２１と、この一次側電力供給系１２２１によって直流変換された電力を、プロジェクタ１の電子部品に応じて所定の電圧に変圧する二次側電力供給系１２２２とに区分される。
【０１１１】
本実施形態のプロジェクタ１を天地逆さまの姿勢に設置すると、図１３に示すように、姿勢検出センサ１１１３および主制御系１１１の作用によって、光学装置４４中を循環する冷却流体の流れ方向は、図１１に示す前記所定の流れ方向に対し逆方向に変換される。
本実施形態によれば、前記実施形態と略同様の効果を奏することができるとともに、以下の効果を奏することができる。
本実施形態では、プロジェクタ１の姿勢の逆転と同時に、冷却流体の流れ方向を逆方向に変換させたことから、冷却室Ｒ１，Ｒ２を通過する冷却流体は、常に下側から上側へ向かって流通することとなる。冷却室Ｒ１，Ｒ２内部において、液晶パネル４４１からの熱によって加熱された冷却流体は上側に移動するが、この移動方向が、冷却流体の流通方向と同方向であるため、冷却室Ｒ１，Ｒ２内で冷却流体の対流が生じることはない。これにより、冷却室Ｒ１，Ｒ２内部の冷却流体は、液晶パネル４４１からの熱を効率よく冷却することができる。
【０１１２】
また、本実施形態では、固定部材５６Ａにおいて、フィルタ５５に対し冷却流体流入側および流出側の上側面にそれぞれ排出孔（孔５６１Ａ１，５６２Ａ１）を形成した。これにより、プロジェクタ１が天地逆さまの姿勢に逆転され、さらに、冷却流体の流れ方向が所定の方向と逆方向に変換されても、フィルタ５５に対し、当該フィルタ５５を通過する冷却流体流出側の上方に排出孔が形成されていることとなる。
従って、プロジェクタ１が天地逆さまの姿勢に逆転され、さらに、冷却流体の流れ方向が所定の方向と逆方向に変換されても、フィルタ５５に捕捉された気泡を、排出孔を介してスムースに排出し、気泡蓄積部５１Ｃに蓄積させることができる。
【０１１３】
〔３．第三実施形態〕
図１４を参照して本発明の第三実施形態について説明する。
以下の説明では、既に説明した部分と同一の部分については、同一符号を付してその説明を省略する。
前記第一実施形態では、固定部材５６は、接続部材５８を介して中継タンク５に固定されているとしたが、本実施形態では、接続部材５８は備えられておらず、固定部材５６は、中継タンク５Ｂでは冷却流体排出部５３の第一パイプ５３１端部に、中継タンク５Ａでは冷却流体流入部５２’の第一パイプ５２１端部に固定されている。
すなわち、本実施形態では、固定部材５６およびフィルタ５５は、冷却流体流入部５２，５２’および冷却流体排出部５３，５３’と一体的に姿勢を変えることとなり、冷却流体流入部５２，５２’および冷却流体排出部５３，５３’を結ぶ軸線を回転軸として、中継タンク５のみが回転する。
これに加えて、本実施形態では、第一実施形態と比較して排出孔の形成位置が異なる。
【０１１４】
本実施形態では、図１４に示すように、中継タンク５Ｂのパイプ５３１に配設される固定部材５６Ｂにおいて、第２固定部５６２の上側面に孔５６２Ａ１が、第２固定部５６２の下側面に孔５６２Ａ２が形成されている。
すなわち、中継タンク５Ｂに配設された固定部材５６Ｂには、当該固定部材５６Ｂに固定されるフィルタ５５に対して、冷却流体流入側の上下側面にそれぞれ排出孔が形成されている。
【０１１５】
一方、中継タンク５Ａにおいて、パイプ５２１端部に設けられた固定部材５６Ｂには、第１固定部５６１の上側面に孔５６１Ａ１、第１固定部５６２の下側面に孔５６１Ａ２が形成されている。すなわち、中継タンク５Ａに配設された固定部材５６Ｂには、中継タンク５Ｂと同様に、フィルタ５５に対し冷却流体流入側の上下側面に、それぞれ排出孔が形成されている。
【０１１６】
本実施形態によれば、前記第一実施形態と略同様の効果を奏することができるとともに、以下の効果を奏することができる。
本実施形態では、固定部材５６Ｂが、第一パイプ５２１，５３１に嵌合することで固定されていることから、光学装置４４の構成を簡易にすることができる。従って、光学装置４４を構成する物品数および製作工程の低減を図ることができ、さらに、欠損や故障等の発生を抑えることができる。  
【０１１７】
〔４．第四実施形態〕
図１５および図１６を参照して、本発明の第四実施形態について説明する。
以下の説明では、既に説明した部分と同一の部分については、同一符号を付してその説明を省略する。
第四実施形態のプロジェクタ１は、前記第三実施形態と比較して、排出孔の形成位置が異なるとともに、前記第二実施形態に記載の姿勢検出部および圧送駆動制御部を備えている点が異なる。なお、図１５に示す冷却流体の流れる方向（図１５中に矢印で示す）を、所定の流れ方向とする。
【０１１８】
本実施形態では、図１５に示すように、中継タンク５Ｂのパイプ５３１に配設される固定部材５６Ｃにおいて、第１固定部５６１の下側面に孔５６１Ａ２が、第２固定部５６２の上側面に孔５６２Ａ１が形成されている。
すなわち、中継タンク５Ｂに配設された固定部材５６Ｃには、当該固定部材５６Ｃに固定されるフィルタ５５に対して、冷却流体流入側の上側面および流出側の下側面に、それぞれ排出孔が形成されている。
【０１１９】
一方、中継タンク５Ａにおいて、パイプ５２１端部に設けられた固定部材５６Ｃには、第１固定部５６１の上側面に孔５６１Ａ１、第２固定部５６２の下側面に孔５６２Ａ２が形成されている。すなわち、中継タンク５Ａに配設された固定部材５６Ｃには、中継タンク５Ｂと同様に、フィルタ５５に対し冷却流体流入側の上側面および流出側の下側面に、それぞれ排出孔が形成されている。
【０１２０】
本実施形態には、第二実施形態と同様の姿勢検出センサ１１１３、ポンプ駆動ユニット１１１４、これらの駆動制御を行う制御基板１１、および、電源ユニット１２（全て、図１２参照）が備えられている。
プロジェクタ１の姿勢が変えられ、天地逆さまの姿勢で設置されると、これら姿勢検出センサ１１１３、ポンプ駆動ユニット１１１４、および、制御基板１１の作用によって、冷却流体の流れる方向が前記所定の方向と逆方向に変換される。
【０１２１】
本実施形態のプロジェクタ１を天地逆さまの姿勢で設置すると、図１６に示すように、姿勢検出センサ１１１３および主制御系１１１の作用によって、光学装置４４中を循環する冷却流体の流れ方向は、図１５に示す前記所定の流れ方向に対し逆方向に変換される。
本実施形態によれば、前記第三実施形態と略同様の効果を奏することができるとともに、以下の効果を奏することができる。
本実施形態では、プロジェクタ１の姿勢の逆転と同時に、冷却流体の流れ方向を逆方向に変換させたことから、冷却室Ｒ１，Ｒ２を通過する冷却流体は、下側から上側へ向かって流通することとなる。すなわち、冷却室Ｒ１，Ｒ２において、冷却流体の流れ方向と、液晶パネル４４１で発生する熱の伝達方向とが同方向となるので、冷却効果を向上することができる。
【０１２２】
また、本実施形態では、固定部材５６Ｃにおいて、フィルタ５５に対し冷却流体流入側の上側面および流出側の下側面にそれぞれ排出孔（孔５６１Ａ１，５６２Ａ１，）を形成した。これにより、プロジェクタ１が天地逆さまの姿勢に逆転され、さらに、冷却流体の流れ方向が所定の方向と逆方向に変換されても、フィルタ５５に対し、当該フィルタ５５を通過する冷却流体流出側の上方に排出孔が形成されていることとなる。
従って、プロジェクタ１が天地逆さまの姿勢に逆転され、さらに、冷却流体の流れ方向が所定の方向と逆方向に変換されても、フィルタ５５に捕捉された気泡を、排出孔を介してスムースに排出し、気泡蓄積部５１Ｃに蓄積させることができる。
【０１２３】
〔５．第三実施形態および第四実施形態の変形〕
図１７は、前記した第三実施形態および第四実施形態の変形例としての光学装置本体４４０の内部構造を示す断面図である。
本変形例では、第三実施形態および第四実施形態で採用した固定部材５６Ｂ，５６Ｃのかわりに、図２１に示すような固定部材５６Ｄを採用している。固定部材５６Ｄは、前述の固定部材５６Ｂ，５６Ｃと比較して、以下に示すように排出孔の形成位置が異なる。
【０１２４】
図１７に示すように、中継タンク５Ｂにおいて、パイプ５３１に配設される固定部材５６Ｄには、第１固定部５６１の下側面に孔５６１Ａ２が、第２固定部５６２の下側面に孔５６２Ａ２が、さらに、第２固定部５６２の上側面に孔５６２Ａ１が形成されている。
すなわち、中継タンク５Ｂに配設された固定部材５６Ｄには、当該固定部材５６Ｄに固定されるフィルタ５５に対して、パイプ５３１を通過する冷却流体流入側の上側面、および、冷却流体流出側の上下側面に、それぞれ排出孔が形成されている。
【０１２５】
一方、中継タンク５Ａにおいて、パイプ５２１に配設される固定部材５６Ｄには、第１固定部５６１の上側面に孔５６１Ａ１、第１固定部５６１に下側面に孔５６１Ａ２、さらに、第２固定部５６２に下側面に孔５６２Ａ２が貫通形成されている。
すなわち、中継タンク５Ａに配設された固定部材５６Ｄには、中継タンク５Ｂと同様に、フィルタ５５に対して、パイプ５２１を通過する冷却流体流入側の上下側面、および、冷却流体流出側の下側面にそれぞれ排出孔が形成されている。
【０１２６】
このような固定部材５６Ｄを有する当該光学装置４４を備えたプロジェクタ１が、所定の姿勢で設置された場合、あるいは、天地逆さまの姿勢の姿勢で設置され、かつ、冷却流体の流れ方向が所定の流れ方向に対し逆方向に変換された場合のいずれにおいても、常に、固定部材５６においてフィルタ５５を通過する冷却流体の流入側上側面には、排出孔が形成されている。
従って、固定部材５６Ｄは、プロジェクタ１が天地逆さまの姿勢で設置される場合（第三実施形態）、および、プロジェクタ１が天地逆さまの姿勢で設置され、かつ、冷却流体の流れ方向が所定の方向と逆方向に変換される場合（第四実施形態）のいずれにおいても、光学装置４４に採用することができる。
【０１２７】
〔６．前記実施形態の変形〕
なお、本発明は前述の実施形態に限定されるものではなく、本発明の目的を達成できる範囲での変形、改良等は本発明に含まれるものである。なお、以下の説明では、既に説明した部分と同一の部分については、同一符号を付してその説明を省略する。
〔6-1．第一変形例〕
図１８および図１９を参照して本発明の第一変形例について説明する。
前記各実施形態では、中継タンク５のタンク本体５１の蓋部５１Ｂに貫通孔５１Ｂ２を設け、この貫通孔５１Ｂ２に開放弁５１Ｄを設置することで、タンク本体５１内の気泡蓄積部５１Ｃの圧力の調整を行っていたが、本実施形態では、圧力の調整機構が前記実施形態と異なっている。なお、図１８に示す本変形例では、第一実施形態を変形している。
本変形例の中継タンク６は、前記実施形態の中継タンク５と蓋部６１Ｂの構成のみが異なっており、他の点においては同じ構造となっている。
すなわち、本実施形態の中継タンク６は、蓋部６１Ｂ及びタンク本体５１を有するタンク本体６１と、冷却流体流入部５２と、冷却流体排出部５３と、フィルタ５５と、固定部材５６を備えている。
【０１２８】
蓋部６１Ｂは、本体部５１Ａ上に設置される板状の第１部材６１Ｂ１と、この第１部材６１Ｂ１上に設置される板状の第２部材６１Ｂ２とを備える。
第１部材６１Ｂ１には、気泡蓄積部５１Ｃと、タンク本体６１外部とを連通する連通路６１Ｂ１０が形成されている。
この連通路６１Ｂ１０は、第１部材６１Ｂ１の表裏面を貫通し、気泡蓄積部５１Ｃに連通する貫通孔６１Ｂ１１と、この貫通孔６１Ｂ１１の一方の開口に接続された連通路本体６１Ｂ１２とを備える。
【０１２９】
図１９にも示すように、連通路本体６１Ｂ１２は、第１部材６１Ｂ１の表面を蛇行するように切り欠いたものである。この連通路本体６１Ｂ１２の先端（貫通孔６１Ｂ１１側と反対側の端部）は、第１部材６１Ｂ１の側面６１Ｂ１３にまで延びており、第一部材６１Ｂ１の側面６１Ｂ１３を切り欠いている。
連通路本体６１Ｂ１２の断面は図示しないが、略円弧状となっており、この円弧の径は、冷却流体の粘度や、冷却流体の流動圧力等に応じて決定される。
第二部材６１Ｂ２は、第１部材６１Ｂ１の貫通孔６１Ｂ１１や、連通路本体６１Ｂ１２の上面を覆うものである。
【０１３０】
このような本変形例では、前記実施形態と略同様の効果を奏することができるうえ、以下の効果を奏することができる。
中継タンク６の蓋部６１Ｂには、気泡蓄積部５１Ｃと、タンク本体６１外部とを連通する連通路６１Ｂ１０が形成されている。そして、この連通路６１Ｂ１０は、第１部材６１Ｂ１の表裏面を貫通し、気泡蓄積部５１Ｃに連通する貫通孔６１Ｂ１１と、この貫通孔６１Ｂ１１の一方の開口に接続された連通路本体６１Ｂ１２とを備える。
従って、貫通孔６１Ｂ１１及び連通路本体６１Ｂ１２を介して気泡蓄積部５１Ｃ内の気圧を中継タンク６外部の気圧と等しくすることができ、気泡蓄積部５１Ｃでの負圧の発生を防止することができるので、気泡蓄積部５１Ｃ中の気体が中継タンク６中の冷却流体中に混入してしまうのを防止することができる。
【０１３１】
さらに、中継タンク６の蓋部６１Ｂに形成された連通路本体６１Ｂ１２は、蛇行して延びているので、連通路本体６１Ｂ１２の距離が非常に長いものとなり、万が一、冷却流体が連通路本体６１Ｂ１２内に入ってしまうことがあっても、連通路本体６１Ｂ１２から冷却流体が排出されてしまうことがない。
また、本実施形態の中継タンク６では、前記実施形態のように開放弁を使用する必要がないので、光学装置４４の製造コストの低下を図ることができる。尚、本変形例では連通路本体６１Ｂ１２の断面を略円弧状としたが、矩形や三角形等の他の断面形状としても良い。
【０１３２】
〔6-2．第二変形例〕
図２０を参照して、本発明の第二変形例について説明する。
第二変形例の中継タンク７は、本体部５１Ａの冷却流体と気泡蓄積部５１Ｃとの間に、気液分離膜が配置されている点が前記実施形態と異なっている。なお、図２０に示す本変形例では、第一実施形態を変形している。
すなわち、本変形例の中継タンク７は、第三実施形態の中継タンク６のタンク本体６１と、冷却流体流入部５２と、冷却流体排出部５３と、フィルタ５５と、固定部材５６と、気液分離膜７７とを備えている。
【０１３３】
タンク本体５１の本体部５１Ａの４枚の側面部５１Ａ２にまたがるように、気液分離膜７７が配置されている。
この気液分離膜７７は、冷却流体の液面を覆うように配置されており、冷却流体の透過を阻止するとともに、気体を通過可能とするものである。この気液分離膜７７は、多孔質膜であり、例えば、ＰＴＦＥ（４フッ化エチレン樹脂）や、シリコン樹脂等の膜が例示できる。
気液分離膜７７の表面積は、前記側面部５１Ａ２で囲まれた平面の面積よりも大きく、気液分離膜７７は、撓んだ状態で、前記側面部５１Ａ２に固定されている。このような気液分離膜７７は、気泡蓄積部５１Ｃ内の圧力、タンク本体５１内の冷却流体の量に応じて変形することとなる。
【０１３４】
このような本変形例では、前記各実施形態と略同様の効果を奏することができるうえ、以下の効果を奏することができる。
中継タンク７の冷却流体と、気泡蓄積部５１Ｃとの境界部分に、冷却流体の透過を阻止し、気体を透過させる気液分離膜７７が配置されているので、フィルタ５５により、通過不能とされた気泡を、気液分離膜７７を介して気泡蓄積部５１Ｃに排出することができる。
さらに、気液分離膜７７を撓んだ状態で配置することで、中継タンク６内の冷却流体の量の変動に対応することができる。すなわち、中継タンク６内の冷却流体の量が少ない場合には、気液分離膜７７は下方に撓んだ状態となり、冷却流体の量が多い場合には、気液分離膜７７が上方に撓んだ状態となる。
さらに、前記気液分離膜７７は撓んだ状態で配置されているので、気泡蓄積部５１Ｃの圧力の変動に応じて、気液分離膜７７を変形させることができ、気泡蓄積部５１Ｃの圧力変動に対応することができる。
【０１３５】
なお、本変形例では、中継タンク７のタンク本体５１の本体部５１Ａの４枚の側面部５１Ａ２にまたがるように、気液分離膜７７を配置し、気液分離膜７７を撓んだ状態として、側面部５１Ａ２に取りつけたが、このような取付け構造に限られるものではない。
例えば、図２１の中継タンク７’のように、気液分離膜７７をスライドさせるスライド機構を設けてもよい。この中継タンク７’において、スライド機構を設けた点以外は、第三実施形態の中継タンク７と同様の構造である。
タンク本体５１の本体部５１Ａの４枚の側面部５１Ａ２に上下方向に延びる溝５１Ａ２２を形成するとともに、気液分離膜７７の周縁部にスライド部７７１を取付け、スライド部７７１を前記溝５１Ａ２２内で摺動させることで、気液分離膜７７の高さ位置を調整できる。なお、図２１では、気液分離膜７７は撓んだ状態ではなく、冷却流体の液面と略平行となっている。
このような構造を採用することで、気液分離膜７７をスライドさせることができ、気泡蓄積部５１Ｃの圧力を調整することができる。
【０１３６】
〔6-3．その他の変形例〕
さらに、前記各実施形態では、中継タンク５〜７、７’を２つ設け、光変調素子保持体４４０２の冷却流体流入側及び冷却流体排出側にそれぞれ配置したが、これに限らず、光変調素子保持体４４０２の冷却流体流入側にのみ中継タンクを配置しても良い。このように中継タンクを一つとすることで部材点数の削減を図ることができるとともに、光学装置の小型化を図ることが可能となる。
さらに、前記各実施形態では、中継タンク５〜７、７’内にフィルタ５５を設置し、気泡蓄積部５１Ｃを設けるとともに、中継タンク５〜７、７’を回転可能とした構成を採用したが、これに限らず、メインタンク内にフィルタ５５を配置するとともに、メインタンク内に気泡蓄積部を形成し、さらに、メインタンクを流体循環部材４４８に対して回転可能な構造としてもよい。
メインタンクをこのような構成とした場合であっても、前記実施形態と同様の効果を奏することができる。
ただし、中継タンク５〜７、７’の方がメインタンクよりも光変調素子保持体４４０２の冷却流体の流入側に近いので、メインタンクを出た冷却流体に気泡が発生しても中継タンク５〜７、７’で取り除くことが出来るため、光変調素子保持体４４０２の冷却室Ｒ１，Ｒ２内に気泡が混入された冷却流体が導入されてしまうことを、より確実に防止することができる。
【０１３７】
さらに、前記各実施形態では、中継タンク５〜７、７’の回転軸は、中継タンク５〜７、７’の重心よりも鉛直方向上方に位置しており、プロジェクタ１を上下さかさまに設置した際に、中継タンク５〜７、７’は重力に伴って回転するとしたが、これに限らず、中継タンクの回転軸が中継タンクの重心よりも鉛直方向下方に位置する場合には、モータ等を用いて強制的に中継タンクを回転させてもよい。
さらに、前記各実施形態では、タンク本体５１の本体部５１Ａの底面部５１Ａ１の外面に何も取り付けなかったが、必要に応じて錘を取り付けてもよい。このように錘を取り付けることで、プロジェクタ１を上下さかさまに設置した際に、中継タンクをより確実に回転させることができる。
【０１３８】
また、前記各実施形態では、中継タンク内の冷却流体中の気泡を捕捉する手段として、平板状のフィルタ５５を使用したが、これに限らず、数の孔を有する樹脂製のスポンジフォーム等を採用してもよい。
さらに、前記各実施形態では、フィルタ５５を中継タンク５〜７、７’の冷却流体排出部５３或いは、冷却流体流入部５２’に対し、固定する固定部材５６の第二固定部５６２の筒状部５６２Ａには、気泡排出用の孔５６２Ａ１を形成したが、この孔５６２Ａ１はなくてもよい。
孔５６２Ａ１がない場合には、気泡は、第二固定部５６２の筒状部５６２Ａの開口から排出されることとなる。
【０１３９】
また、前記第一実施形態および第二実施形態では、固定部材５６，５６Ａが、接続部材５８を介して中継タンク５に固定させることにより、固定部材５６，５６Ａを中継タンク５とともに回転させるようにした。これとは別に、次のような構成を用いてもよい。中継タンク５Ｂに配設された冷却流体流入部５２では、継ぎ手５２３において第一パイプ５２１を回転可能に支持させ、さらに、固定部材５６，５６Ａを、第三実施形態と同様に、第一パイプ５２１端部に固定する。このようにすれば、プロジェクタ１の姿勢変更により、流体循環部材４４８および第二パイプ５２２が回転しても、第一パイプ５２１は回転しない。つまり、第一パイプ５２１端部に固定された固定部材５６，５６Ａは、中継タンク５と同じ姿勢を保つことになる。冷却流体排出部５３においても同様の構成となる。さらに、中継タンク５Ａにおいても中継タンク５Ｂの構成と同様となる。ただし、冷却流体流入部５２’の構成が冷却流体排出部５３に、冷却流体排出部５３’の構成が冷却流体流入部５２に相当する。
【０１４０】
前記した各実施形態では、光学装置４４の備える冷却システムは、複数の流体循環部材４４８に分岐させ、分岐した各配管に光変調素子保持体４４０２を配設するとした。これに対し、本発明では、１本の流体循環部材４４８に、複数の光変調素子保持体４４０２を直列して配設してもよい。
【０１４１】
本発明では、中継タンク５〜７、７’の内部に、開放弁５１Ｄと、気液分離膜７７とが共に配設されていてもよい。他にも、中継タンク５〜７、７’は、連通路６１Ｂ１０と、気液分離膜７７とが共に配設される構成や、開放弁５１Ｄと、連通路６１Ｂ１０とが共に配設されている構成も考えられる。このように、複数の構成を組み合わせることにより、冷却流体の漏れ抑止等の効果を、なおいっそう高めることができる。
【０１４２】
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
さらに、前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【産業上の利用可能性】
【０１４３】
本発明は、プロジェクタに利用することができる。
【図面の簡単な説明】
【０１４４】
【図１】本発明の第一実施形態にかかるプロジェクタの概略構成を示す図。
【図２】前記実施形態にかかるプロジェクタの光学装置の要部を示す斜視図。
【図３】前記実施形態にかかるプリズム固定台及び中継タンクを示す斜視図。
【図４】前記実施形態にかかるカバー部材及び中継タンクを示す斜視図。
【図５】前記実施形態にかかる光変調素子保持体を示す分解斜視図。
【図６】前記実施形態にかかる光変調素子保持体の断面図。
【図７】前記実施形態にかかる光学装置の内部構造を示す断面図。
【図８】前記実施形態にかかる中継タンクの内部構造を示す断面図。
【図９】前記実施形態にかかる冷却流体流入部の構造を示す断面図。
【図１０】前記実施形態におけるプロジェクタを天地逆さまの姿勢で設置した場合の光学装置の内部構造を示す断面図。
【図１１】本発明の第二実施形態にかかる光学装置の内部構造を示す断面図。
【図１２】前記実施形態にかかる制御基板および電源ユニットの構成を示すブロック図。
【図１３】前記実施形態におけるプロジェクタを天地逆さまの姿勢で設置した場合の光学装置の内部構造を示す断面図。
【図１４】本発明の第三実施形態にかかる光学装置の内部構造を示す断面図。
【図１５】本発明の第四実施形態にかかる光学装置の内部構造を示す断面図。
【図１６】前記実施形態におけるプロジェクタを天地逆さまの姿勢で設置した場合の光学装置の内部構造を示す断面図。
【図１７】第三、第四実施形態の変形例にかかる光学装置の内部構造を示す断面図。
【図１８】本発明の第一変形例にかかる中継タンクの内部構造を示す断面図。
【図１９】前記中継タンクの蓋部を示す平面図。
【図２０】本発明の第二変形例にかかる中継タンクの内部構造を示す断面図。
【図２１】前記中継タンクの変形例を示す断面図。
【符号の説明】
【０１４５】
１…プロジェクタ、５，５Ａ，５Ｂ，６，７，７’…中継タンク（冷却流体蓄積部）、４４…光学装置、５１Ｄ…開放弁、５２，５２’…冷却流体流入部、５３，５３’…冷却流体排出部、５５…フィルタ（気泡捕捉手段）、５６，５６Ａ，５６Ｂ，５６Ｃ，５６Ｄ…固定部材、７７…気液分離膜、４４１…液晶パネル（光変調素子）、４４１Ｒ，４４１Ｇ，４４１Ｂ…液晶パネル、４４４…クロスダイクロイックプリズム（色合成光学装置）、４４８…流体循環部材、５６１Ａ…筒状部（第２筒状部）、５６２Ａ…筒状部（第１筒状部）、５６１Ａ１，５６１Ａ２，５６２Ａ１，５６２Ａ２…孔（排出孔）、７７１…スライド部（スライド機構）、５１Ａ２２…溝（スライド機構）、１１１３…姿勢検出センサ（姿勢検出部）、１１１４…ポンプ駆動ユニット（圧送駆動制御部）、４４０２…光変調素子保持体、Ｒ１…第一冷却室、Ｒ２…第二冷却室、Ｌ…投射レンズ（投射光学装置）
【図１】
2006154723.tif 000003
【図２】
2006154723.tif 000004
【図３】
2006154723.tif 000005
【図４】
2006154723.tif 000006
【図５】
2006154723.tif 000007
【図６】
2006154723.tif 000008
【図７】
2006154723.tif 000009
【図８】
2006154723.tif 000010
【図９】
2006154723.tif 000011
【図１０】
2006154723.tif 000012
【図１１】
2006154723.tif 000013
【図１２】
2006154723.tif 000014
【図１３】
2006154723.tif 000015
【図１４】
2006154723.tif 000016
【図１５】
2006154723.tif 000017
【図１６】
2006154723.tif 000018
【図１７】
2006154723.tif 000019
【図１８】
2006154723.tif 000020
【図１９】
2006154723.tif 000021
【図２０】
2006154723.tif 000022
【図２１】
2006154723.tif 000023